(57)【要約】  映像の被写体に関する情報の容易な取得を可能とする情報表示装置（１７０Ａ）であって、情報表示装置（１７０）の外部の映像表示装置の映像表示面に表示されているオブジェクトの映像表示面上の第一位置を示す位置情報と、オブジェクトの属性情報を示すオブジェクト情報とを含む関連情報を取得する関連情報取得部（３０６）と、関連情報取得部（３０６）が取得した関連情報に含まれるオブジェクト情報を表示する表示部（３０９）と、映像表示面におけるオブジェクトの表示に連動して、関連情報に含まれる位置情報が示す第一位置に対応する表示部（３０９）上の第二位置にオブジェクト情報を表示するように、表示部（３０９）を制御する表示制御部（３０７Ａ）とを備える。
2013088604.tif 000002
【特許請求の範囲】
【請求項１】
情報表示装置であって、
前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得部と、
前記関連情報取得部が取得した前記関連情報に含まれる前記オブジェクト情報を表示する表示部と、
前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御部とを備える
情報表示装置。
【請求項２】
前記表示制御部は、
前記映像表示面上の位置ごとに対応させて定められた前記表示部上の位置のうち、前記第一位置に対応する位置である前記第二位置に前記オブジェクト情報を表示するように、前記表示部を制御する
請求項１に記載の情報表示装置。
【請求項３】
前記関連情報取得部は、
前記映像表示面を構成する複数の表示面領域のうち、前記オブジェクトが表示されている表示面領域を示す前記第一位置を取得し、
前記表示制御部は、
前記複数の表示面領域のそれぞれに位置が対応するように定められた前記表示部の複数の領域のうち、前記第一位置に対応する領域の内部の前記第二位置に前記オブジェクト情報を表示するように、前記表示部を制御する
請求項１に記載の情報表示装置。
【請求項４】
前記表示制御部は、
前記第二位置を基準として、前記関連情報取得部が取得した前記関連情報に含まれる前記オブジェクト情報の種別に対応して定められた相対位置を加算した位置を新たな前記第二位置とし、新たな前記第二位置に前記オブジェクト情報を表示するように、前記表示部を制御する
請求項１〜３のいずれか１項に記載の情報表示装置。
【請求項５】
前記関連情報取得部は、
前記映像表示面における前記オブジェクトの表示の開始又は移動があるとき、前記開始後又は前記移動後の前記第一位置を含む前記関連情報を取得し、
前記表示制御部は、
前記オブジェクトの表示の開始又は移動に連動して、前記開始後又は前記移動後の前記第一位置に対応する前記表示部上の第二位置に、前記オブジェクト情報の表示を開始又は移動させるように、前記表示部を制御する
請求項１〜４のいずれか１項に記載の情報表示装置。
【請求項６】
前記関連情報取得部は、
前記映像表示装置が表示する映像のシーンに対応して定められる領域パターンと、前記領域パターンに従って定められる前記複数の表示面領域のうち、前記オブジェクトが表示されている表示面領域を示す前記第一位置とを取得し、
前記表示制御部は、
前記領域パターンに従って前記表示部に設定される複数の領域のうち、前記第一位置に対応する領域の内部の前記第二位置に前記オブジェクト情報を表示するように、前記表示部を制御する
請求項３に記載の情報表示装置。
【請求項７】
前記表示制御部は、
同一の前記第二位置に複数の前記オブジェクト情報を表示するように前記表示部を制御する際には、複数の前記オブジェクト情報のうち、作成されてからの時間がより短いほうの前記オブジェクト情報を表示するように、前記表示部を制御する
請求項１〜６のいずれか１項に記載の情報表示装置。
【請求項８】
前記表示制御部は、
前記映像表示面における前記第一位置の相対位置と、前記表示部における前記第二位置の相対位置とが等しくなるように前記第二位置を決定し、前記表示部上の第二位置に前記オブジェクト情報を表示するように、前記表示部を制御する
請求項１〜７のいずれか１項に記載の情報表示装置。
【請求項９】
前記関連情報取得部は、
さらに、前記オブジェクトが前記映像表示面に表示される期間を示す表示期間を取得し、
前記表示制御部は、
現在時刻が、前記関連情報取得部が取得した前記表示期間内であるか否かを判定し、現在時刻が前記表示期間内であると判定した場合に、前記表示部上の第二位置に前記オブジェクト情報を表示するように、前記表示部を制御する
請求項１〜８のいずれか１項に記載の情報表示装置。
【請求項１０】
前記関連情報取得部は、
前記オブジェクト情報として、前記オブジェクトのタイトル、詳細情報、及び、代表画像のうちの少なくとも１つを含む前記関連情報を取得する
請求項１〜９のいずれか１項に記載の情報表示装置。
【請求項１１】
前記関連情報取得部における前記表示面領域の数は４であり、
前記表示制御部における前記表示部に定められる前記複数の領域の数は４である
請求項３に記載の情報表示装置。
【請求項１２】
表示部を備える情報表示装置における情報表示方法であって、
前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得ステップと、
前記関連情報取得ステップで取得した前記関連情報に含まれる前記オブジェクト情報を前記表示部に表示する表示ステップと、
前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御ステップとを含む
情報表示方法。
【請求項１３】
請求項１２に記載の情報表示方法をコンピュータに実行させるための、コンピュータ読み取り可能な記録媒体。
【請求項１４】
映像を表示する映像表示面を有する映像表示装置と、
前記関連情報を前記情報表示装置に配信する配信サーバと、
請求項１〜１１のいずれか１項に記載の情報表示装置とを備える
情報表示システム。
【発明の詳細な説明】
【技術分野】
【０００１】
本開示は、情報表示装置、情報表示方法、及び、情報表示システムに関する。
【背景技術】
【０００２】
モバイル端末が普及し、視聴者はモバイル端末を日常的に携帯するシーンが増えている。それに伴ってモバイル端末の新たな利用可能性が考えられる。その一例は、視聴者がモバイル端末を携帯して、ＴＶ（Ｔｅｌｅｖｉｓｉｏｎ）等の映像を視聴している場合である。視聴者は、視聴者が所有するモバイル端末を利用して、ＴＶ等の映像番組中の映像に映し出される被写体に関するより詳細な情報等について、ネットワーク上の情報を検索、取得、及び、閲覧する。これにより、視聴者は、視聴している映像番組に関連する情報をより即時性を持って閲覧することが可能となる。【０００３】
映像放送等において映像とともにその映像に関連する関連情報を表示する技術が開示されている（例えば、特許文献１）。特許文献１に開示される技術では、映像放送等において映像とともにその映像に関連する関連情報が視聴装置に送られる。視聴者は、視聴装置の表示面上で興味のある対象物を選択する。視聴装置は、表示面上での選択された位置に基づいて、複数の関連情報の中から選択された被写体に関連する関連情報を特定し、特定された被写体の情報を表示する。
【先行技術文献】
【特許文献】
【０００４】
【特許文献１】特開２００２−２０９２０４号公報
【発明の概要】
【発明が解決しようとする課題】
【０００５】
本開示は、映像の被写体に関する情報の容易な取得を可能とする情報表示装置を提供する。
【課題を解決するための手段】
【０００６】
本開示における情報表示装置は、前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得部と、前記関連情報取得部が取得した前記関連情報に含まれる前記オブジェクト情報を表示する表示部と、前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御部とを備える。
【発明の効果】
【０００７】
本出願の発明により、視聴者は、より容易に映像の被写体に関する情報を取得することができる。
【図面の簡単な説明】
【０００８】
【図１】図１は、実施の形態１における情報表示システムのシステム構成の例を示す図である。
【図２】図２は、実施の形態１における情報表示装置のハードウェア構成の例を示す図である。
【図３Ａ】図３Ａは、実施の形態１における情報表示装置の機能構成の例を示す図である。
【図３Ｂ】図３Ｂは、実施の形態１における情報表示装置の機能構成の他の例を示す図である。
【図４】図４は、実施の形態１における番組特定情報の例を示す図である。
【図５】図５は、実施の形態１における関連情報の例を示す図である。
【図６】図６は、情報表示装置の表示領域の分割の例を示す図である。
【図７】図７は、実施の形態１における関連情報を取得及び表示する処理の例を示すフローチャートである。
【図８】図８は、実施の形態１における取得した関連情報から表示制御を行う処理の例を示すフローチャートである。
【図９】図９は、実施の形態１における表示管理テーブルの例を示す図である。
【図１０】図１０は、表示管理テーブルに基づいて、情報表示処理装置が表示する関連情報の表示内容を更新する処理の例を示すフローチャートである。
【図１１】図１１は、表示管理テーブルの更新の説明図である。
【図１２】図１２は、映像表示装置の表示内容と情報表示装置の表示内容との更新の説明図である。
【図１３】図１３は、実施の形態２における関連情報の例を示す図である。
【図１４】図１４は、実施の形態３における情報表示装置の表示領域の分割の例を示す図である。
【図１５】図１５は、その他の実施の形態における情報システムのシステム構成の例を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって請求の範囲に記載の主題を限定することを意図するものではない。
【００１１】
まず、本開示により解決される課題について詳細に説明する。
【００１２】
特許文献１に開示される技術を用いれば、視聴者は、映像番組における映像中の興味のある被写体を特定することで、その被写体に関する情報を閲覧することができる。しかし、特許文献１に開示された技術では、映像とその関連する情報とが同一の装置に表示される。よって、視聴者は、同一表示面で、映像と関連する情報とを一緒に視聴することになる。
【００１３】
一方、映像番組を表示する映像表示装置と、情報を表示する情報表示装置とが異なる装置である場合、視聴者は、映像表示装置と情報表示装置との両者の表示面を見る必要がある。この際、情報表示装置に複数の情報が一度に表示されている場合に、視聴者は、いずれの情報が、視聴者が求める情報であるかを特定する必要がある。そのため、視聴者は、映像表示装置と情報表示装置とのそれぞれの表示面を見るとともに、情報表示装置の表示面に表示されている複数の情報から特定の情報を短時間に探す作業を行わなければならない。この作業は、映像表示装置の映像を視聴したいと考える視聴者にとって、大きな負担となる可能性がある。
【００１４】
本出願の発明の目的は、映像の被写体に関する情報の容易な取得を可能とする情報表示装置を提供することである。
【００１５】
上記の目的を達成するために、本開示の情報表示装置は、前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得部と、前記関連情報取得部が取得した前記関連情報に含まれる前記オブジェクト情報を表示する表示部と、前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御部とを備える。
【００１６】
これによれば、映像の視聴者は、映像表示装置の映像表示面に表示されているオブジェクトに関連する関連情報を、情報表示装置から得ることができる。その際、表示される関連情報の表示部（表示画面）上の位置は、オブジェクトの映像表示面上の位置に対応した位置となる。そのため、視聴者は、複数の位置に情報が表示されうる表示部において、オブジェクトの映像表示面上の位置に対応した箇所を見ることで、容易に当該オブジェクトの関連情報を見つけることができる。よって、映像の被写体に関する情報の容易な取得が可能となる。
【００１７】
例えば、前記表示制御部は、前記映像表示面上の位置ごとに対応させて定められた前記表示部上の位置のうち、前記第一位置に対応する位置である前記第二位置に前記オブジェクト情報を表示するように、前記表示部を制御する。
【００１８】
これによれば、情報表示装置の表示部において、映像表示装置に表示されたオブジェクトの関連情報が表示される箇所の候補が、所定数の箇所に絞り込まれる。視聴者は、その複数の箇所のいずれかを見ることで、関連情報をさらに容易に発見することができる。さらに、表示部上の箇所であって視聴者が閲覧しにくい箇所（例えば、表示部内の端の位置）を、その候補から除外しておくことにより、関連情報が表示されうる箇所を、視聴者が発見及び閲覧しやすい箇所に絞ることができる。よって、映像の被写体に関する情報のより容易な取得が可能となる。
【００１９】
例えば、前記関連情報取得部は、前記映像表示面を構成する複数の表示面領域のうち、前記オブジェクトが表示されている表示面領域を示す前記第一位置を取得し、前記表示制御部は、前記複数の表示面領域のそれぞれに位置が対応するように定められた前記表示部の複数の領域のうち、前記第一位置に対応する領域の内部の前記第二位置に前記オブジェクト情報を表示するように、前記表示部を制御する。
【００２０】
これによれば、情報表示装置の表示部において、映像表示装置に表示されたオブジェクトの関連情報が表示される箇所の候補が、所定数の箇所に絞り込まれる。しかも、映像表示装置の表示面を構成する複数の領域（表示面領域）ごとに、その領域に表示されるオブジェクトの関連情報が表示される情報表示装置上の領域が定められている。視聴者は、映像表示面上でオブジェクトが属している表示面領域を把握し、その領域に対応する表示部上の領域を見ることで、関連情報をさらに容易に発見することができる。よって、映像の被写体に関する情報のより容易な取得が可能となる。
【００２１】
例えば、前記表示制御部は、前記第二位置を基準として、前記関連情報取得部が取得した前記関連情報に含まれる前記オブジェクト情報の種別に対応して定められた相対位置を加算した位置を新たな前記第二位置とし、新たな前記第二位置に前記オブジェクト情報を表示するように、前記表示部を制御する。
【００２２】
これによれば、情報表示装置は、オブジェクトのタイトル又は詳細情報のような情報の種別に対応して、表示部に表示される関連情報の位置を変更することにより、情報の種別に応じて関連情報の表示箇所を調整することができる。例えば、関連情報の表示の上部にはタイトルが表示されるようにすることができる。視聴者は、オブジェクトの関連情報を探す際に、情報の種別に応じて定まる表示部上の場所を見ることで、さらに容易に目的にオブジェクトに関する情報を取得することができる。例えば、視聴者が、オブジェクトのタイトルから関連情報を探したい時には、表示部の上部を見ることで容易に発見することができる。よって、映像の被写体に関する情報のより容易な取得が可能となる。
【００２３】
例えば、前記関連情報取得部は、前記映像表示面における前記オブジェクトの表示の開始又は移動があるとき、前記開始後又は前記移動後の前記第一位置を含む前記関連情報を取得し、前記表示制御部は、前記オブジェクトの表示の開始又は移動に連動して、前記開始後又は前記移動後の前記第一位置に対応する前記表示部上の第二位置に、前記オブジェクト情報の表示を開始又は移動させるように、前記表示部を制御する。
【００２４】
これによれば、情報表示装置は、映像表示面上の表示の変化に追随して、映像表示面に表示されているオブジェクトの関連情報を表示する。よって、映像の被写体に関する情報のより容易な取得が可能となる。
【００２５】
例えば、前記関連情報取得部は、前記映像表示装置が表示する映像のシーンに対応して定められる領域パターンと、前記領域パターンに従って定められる前記複数の表示面領域のうち、前記オブジェクトが表示されている表示面領域を示す前記第一位置とを取得し、前記表示制御部は、前記領域パターンに従って前記表示部に設定される複数の領域のうち、前記第一位置に対応する領域の内部の前記第二位置に前記オブジェクト情報を表示するように、前記表示部を制御する。
【００２６】
これによれば、映像表示装置が表示する映像のシーンに対応して、映像表示装置の表示面領域のパターンが変更され、それにともなって、視聴者が関連情報を得やすいように、情報表示装置の表示部の領域パターンも変更される。例えば、映像の動きが激しいシーンでは、表示面領域の数を減らすことで、視聴者が関連情報を得やすくなる。よって、映像の被写体に関する情報のより容易な取得が可能となる。
【００２７】
例えば、前記表示制御部は、同一の前記第二位置に複数の前記オブジェクト情報を表示するように前記表示部を制御する際には、複数の前記オブジェクト情報のうち、作成されてからの時間がより短いほうの前記オブジェクト情報を表示するように、前記表示部を制御する。
【００２８】
これによれば、情報表示装置の表示面積が限られている場合に、複数の関連情報のうち、より新しい情報を表示することができる。よって、映像のより新しい被写体に関する情報の容易な取得が可能となる。
【００２９】
例えば、前記表示制御部は、前記映像表示面における前記第一位置の相対位置と、前記表示部における前記第二位置の相対位置とが等しくなるように前記第二位置を決定し、前記表示部上の第二位置に前記オブジェクト情報を表示するように、前記表示部を制御する。
【００３０】
これによれば、映像表示装置上のオブジェクトの相対位置と、情報表示装置の表示部上の関連情報の相対位置とが等しくなる。視聴者は、映像表示装置の表示面上のオブジェクトの相対位置と同じ、情報表示装置の表示部上の位置を参照することで、オブジェクトの関連情報を見つけることができる。よって、映像の被写体に関する情報の容易な取得が可能となる。
【００３１】
例えば、前記関連情報取得部は、さらに、前記オブジェクトが前記映像表示面に表示される期間を示す表示期間を取得し、前記表示制御部は、現在時刻が、前記関連情報取得部が取得した前記表示期間内であるか否かを判定し、現在時刻が前記表示期間内であると判定した場合に、前記表示部上の第二位置に前記オブジェクト情報を表示するように、前記表示部を制御する。
【００３２】
これによれば、映像表示装置上にオブジェクトが表示されている時に、リアルタイムにそのオブジェクトに関連する情報を表示することができる。
【００３３】
例えば、前記関連情報取得部は、前記オブジェクト情報として、前記オブジェクトのタイトル、詳細情報、及び、代表画像のうちの少なくとも１つを含む前記関連情報を取得する。
【００３４】
これによれば、視聴者は、オブジェクトの関連情報として、タイトル、詳細情報、及び、代表画像のうちの少なくとも１つを得ることができる。
【００３５】
例えば、前記関連情報取得部における前記表示面領域の数は４であり、前記表示制御部における前記表示部に定められる前記複数の領域の数は４である。
【００３６】
これによれば、視聴者は、映像表示装置の表示面を４分割した表示面領域におけるオブジェクトの関連情報を、情報表示装置から取得することができる。
【００３７】
（実施の形態１）
本実施の形態において、映像表示装置に表示されるオブジェクトの関連情報を、視聴者がより容易に映像の被写体に関する情報を取得することができるように、情報表示装置に表示する例について説明する。具体的には、映像表示装置に表示されるオブジェクトの表示に連動して、映像表示装置上のオブジェクトの表示位置に関連した位置に関連情報を表示する例について説明する。なお、オブジェクトの表示に連動する、とは、映像表示面上でのオブジェクトの移動、大きさ若しくは形状の変化、出現、又は、消滅などのことを意味する。
【００３８】
図１〜図１２を用いて、本実施の形態について説明する。
【００３９】
［１−１．構成］
図１は、本実施の形態における情報表示システム１００のシステム構成の例を示す図である。情報表示システム１００は、放送局１１０、映像表示装置（ＴＶ）１２０、データベース（ＤＢ）１３０、配信サーバ１６０、及び、情報表示装置１７０を有する。
【００４０】
放送局１１０は、映像番組を放送波で放送する。なお、放送局１１０は、無線を用いた放送波だけでなく、ケーブルＴＶのような有線による放送、インターネット回線を利用した映像の配信を行うものであってもよい。放送局１１０は、映像番組を配信するものであればよく、その配信形態は限定されない。
【００４１】
映像表示装置１２０は、放送局１１０から配信された映像番組を表示する。映像表示装置１２０の例は、ＴＶ（Ｔｅｌｅｖｉｓｉｏｎ）装置である。映像表示装置１２０は、受信した映像信号を、映像として表示する。視聴者は、映像表示装置１２０に表示された映像を閲覧する。また、映像表示装置１２０は、受信した映像信号を蓄積し、蓄積した映像信号を表示してもよい。
【００４２】
データベース（ＤＢ）１３０は、放送局１１０から配信される映像番組に関する情報を記録、又は、保持等する。データベース１３０へ記録される映像番組に関する情報は、メタ事業者のような専門業者１４０により入力される情報であってもよいし、一般ユーザ１５０により入力される情報であってもよい。また、データベース１３０には、放送局１１０からリアルタイムに放送されている映像番組に関する情報だけでなく、過去に放送又は配信等された映像番組に関する情報を記録、又は、保持してもよい。
【００４３】
配信サーバ１６０は、後述する情報表示装置１７０からの要求により、映像番組に関する情報を、データベース１３０から取得し、情報表示装置１７０へ送信する。配信サーバ１６０は、例えば、インターネット等上に公開されているサーバで不特定多数、又は、特定多数の人がアクセスできるサーバであってもよい。
【００４４】
情報表示装置１７０は、映像表示装置１２０が表示する映像番組と連携した情報、又は当該映像番組に関連した情報を、配信サーバ１６０を経由してデータベース１３０から取得し、取得した情報を表示する。視聴者は、映像番組視聴時に、映像表示装置１２０に表示される映像を視聴しながら、情報表示装置１７０に表示される情報を閲覧する。なお、情報表示装置１７０は、映像表示装置１２０の視聴者が映像番組視聴時に、自身の側に置いておいたり、携帯したりする装置として実現されてもよい。情報表示装置１７０の例は、タブレット端末、つまり、タブレット型の情報処理装置又は表示装置等である。
【００４５】
視聴者は、映像表示装置１２０の映像番組を視聴しながら、映像番組内で示された興味のある被写体等についての情報を、情報表示装置１７０により取得し、表示する。そして、視聴者は、映像表示装置１２０が表示する映像と、その映像に関連する情報との両者を実質的に同時に視聴及び閲覧する。これにより、視聴者は、放送局等から提供される映像番組を見るだけではなく、映像番組で映し出される被写体、又は、映像番組と関連の深い内容について情報を収集又は閲覧等することができる。つまり、視聴者は、従来では映像番組を視聴するだけであったが、本開示の情報表示装置によれば、映像番組の視聴だけでなく、その映像番組に関連する情報の収集をも行うことができる。よって、視聴者は、より幅広い情報を享受することができる。なお、被写体とは、映像において表示されるオブジェクトのことである。オブジェクトとは、映像において表示され、視聴者の注目の対象となりうる対象物のことであり、具体的には、人物、動物、物、建造物、自然物、文字、記号、又は、図形などのことである。
【００４６】
図２は、本実施の形態における情報表示装置１７０のハードウェア構成の例を示す図である。情報表示装置１７０は、ＣＰＵ２００、ＲＯＭ２０１、ＲＡＭ２０２、無線ＬＡＮアンテナ２０３、ネットワークコントローラ２０４、タッチパネルコントローラ２０５、ユーザ入力検出センサ２０６、ディスプレイコントローラ２０７、ディスプレイ２０８、音声出力コントローラ２０９、スピーカ２１０、音声入力コントローラ２１１、及び、マイク２１２を有する。
【００４７】
ＣＰＵ２００は、演算処理装置であって、情報表示装置１７０全体を制御する。
【００４８】
ＲＯＭ２０１は、情報表示装置１７０の各種動作に必要な情報を保持する。ＲＯＭ２０１は、ＣＰＵ２００で実行されるソフトウェアプログラムや、ソフトウェアプログラムの動作を決定する各種パラメータ等を保存する。
【００４９】
ＲＡＭ２０２は、情報表示装置１７０の各種動作に必要な情報を一時的に、又は、永続的に保持する。ＲＡＭ２０２は、ＣＰＵ２００がソフトウェアプログラムを実行する際に必要な各種の変数、及び、ＣＰＵ２００が各種コントローラを制御する際の制御データを一時的に、又は、永続的に保存する。
【００５０】
無線ＬＡＮアンテナ２０３は、情報表示装置１７０が外部と無線ＬＡＮ（Local area network）通信を行う際の無線電波を送受信するアンテナである。なお、無線ＬＡＮ通信の通信規格の例は、ＩＥＥＥ８０２．１１規格である。その他の無線通信規格（例えば、Ｂｌｕｅｔｏｏｔｈ（登録商標）等）を用いることも可能である。
【００５１】
ネットワークコントローラ２０４は、情報表示装置１７０が無線ＬＡＮアンテナ２０３を用いて外部と情報の送受信を行う場合に、データ送受信処理を制御する。
【００５２】
タッチパネルコントローラ２０５は、ユーザ入力検出センサ２０６を制御し、ユーザ入力検出センサ２０６からの検出信号を入力信号としてＣＰＵ２００等へ伝える。
【００５３】
ユーザ入力検出センサ２０６は、情報表示装置１７０の利用者（映像表示装置１２０の視聴者）からの入力を検出するセンサである。具体的なデバイスの例は、タッチパネルなどである。
【００５４】
ディスプレイコントローラ２０７は、情報を含んだ画像・映像信号をＣＰＵ２００等から受信し、ディスプレイ２０８へ表示するための制御を行う。
【００５５】
ディスプレイ２０８は、ディスプレイコントローラ２０７の制御により、各種の情報を含んだ画像又は映像を表示する。
【００５６】
音声出力コントローラ２０９は、ＣＰＵ２００等からデジタルの音声出力信号を受信し、アナログ信号へ変換してスピーカ２１０へ出力する。
【００５７】
スピーカ２１０は、音声出力コントローラ２０９からのアナログ音声信号を音声として出力する。
【００５８】
音声入力コントローラ２１１は、マイク２１２から入力される音声アナログ信号をデジタル音声信号等に変換してＣＰＵ２００等へ出力する。
【００５９】
マイク２１２は、情報表示装置１７０の周辺音を収音し、収音された音をアナログ電気信号に変換する。
【００６０】
図３Ａは、本実施の形態における情報表示装置１７０の機能構成の例を示す図である。情報表示装置１７０は、音声入力部３００、ユーザ入力検出部３０１、タイマー部３０２、入力制御部３０３、番組特定部３０４、通信部３０５、関連情報取得部３０６、関連情報表示制御部３０７、関連情報蓄積部３０８、及び、表示部３０９を有する。
【００６１】
音声入力部３００は、情報表示装置１７０の周辺音を収音する。音声入力部３００は、図２のハードウェア構成においてマイク２１２に相当する。
【００６２】
ユーザ入力検出部３０１は、情報表示装置１７０の利用者からの入力を受け付ける。ユーザ入力検出部３０１の例は、タッチパネルである。ユーザ入力検出部３０１は、図２のハードウェア構成においてユーザ入力検出センサ２０６に相当する。
【００６３】
タイマー部３０２は、時間を計測する。タイマー部３０２の例は、発振子等をベースに時間を計測するクロックモジュールである。
【００６４】
入力制御部３０３は、音声入力部３００又はユーザ入力検出部３０１からの入力信号を、適切な情報信号に変換する。例えば、各種センサ等からの入力アナログ信号を、情報処理しやすいデジタル信号に変換する。入力制御部３０３は、図２のハードウェア構成において、タッチパネルコントローラ２０５又は音声入力コントローラ２１１等に該当する。
【００６５】
番組特定部３０４は、入力制御部３０３を介して音声入力部３００から入力された音声信号に基づいて、映像表示装置１２０が表示している映像を特定するための情報（音声識別情報）を生成する。情報表示装置１７０は、映像表示装置１２０の映像の視聴者が携帯している、又は、その近辺に置かれている。情報表示装置１７０は、映像表示装置１２０が表示等している映像番組の音声を音声入力部３００により取得する。音声入力部３００からの音声信号は、入力制御部３０３を介して番組特定部３０４に入力される。
【００６６】
番組特定部３０４は、入力される音声信号、つまり、その時点で映像表示装置１２０が表示している映像番組の音声から、その音声の特徴となる情報を抽出する。音声の特徴となる情報とは、例えば、周波数分布、周波数毎のレベル、又は、特定の周波数帯域の音声信号のみを抽出した信号などであり、音声の特徴を特定できるものであればどんなものであってもよい。なお、上記のように音声の特徴となる情報を抽出する処理は必須ではない。つまり、音入力される音声信号をそのまま出力するものであってもよい。音入力される音声信号をそのまま出力する場合は、後段の通信部３０５による通信量が増加する。音声の特徴となる情報を算出することで、このような通信量の増加を抑制することができる。番組特定部３０４は、このように抽出された音声の特徴となる情報に対して所定の演算処理を施し、入力された音声信号の音声識別情報を生成する。
【００６７】
番組特定部３０４は、さらに生成した音声識別情報を、後述する通信部３０５を用いて配信サーバ１６０へ送信する。番組特定部３０４は、音声識別情報を送信したことに対する返信として、配信サーバ１６０から、上記の音声信号に対応する映像番組を特定するための情報（番組特定情報）を受信する。
【００６８】
通信部３０５は、番組特定部３０４が生成した音声識別情報を配信サーバ１６０へ送信する。
【００６９】
配信サーバ１６０は、データベース１３０の情報に基づいて、情報表示装置１７０から受信した音声識別情報から映像表示装置１２０が表示している映像番組を特定する。なお、配信サーバ１６０は、さらに、その音声取得時の映像番組内での映像表示位置（映像シーン）をも特定するようにしてもよい。
【００７０】
配信サーバ１６０は、特定した映像番組に関する情報（番組特定情報）を、情報表示装置１７０へ送信する。通信部３０５は、この映像番組に関する情報を受信する。通信部３０５は、この番組特定情報にもとづいて、データベース１３０から、映像表示装置１２０が表示している映像シーンに含まれる被写体に関する関連情報（映像番組の映像シーンに対応する関連情報）を、配信サーバ１６０等から取得する。通信部３０５は、図２の構成において、無線ＬＡＮアンテナ２０３及びネットワークコントローラ２０４に該当する。
【００７１】
関連情報取得部３０６は、通信部３０５が配信サーバ１６０から受信した情報から、映像番組の映像シーンに対応する関連情報を取得する。なお、関連情報取得部３０６は、取得した関連情報を関連情報蓄積部３０８に蓄積するようにしてもよい。
【００７２】
関連情報表示制御部３０７は、関連情報取得部３０６が取得した関連情報、又は、関連情報取得部３０６が取得して関連情報蓄積部３０８に蓄積した関連情報を利用して関連情報に含まれる表示対象となる情報を表示部３０９へ出力する。また、関連情報表示制御部３０７は、表示部３０９へ表示する関連情報の更新等に、タイマー部３０２から入力される計時情報を用いてもよい。なお、関連情報表示制御部３０７が、実際に関連情報等を表示部３０９へ表示する際の表示位置等の制御については、後述する。なお、関連情報表示制御部３０７は、表示制御部３０７Ａに相当する。
【００７３】
番組特定部３０４、関連情報取得部３０６、及び、関連情報表示制御部３０７のそれぞれは、図２において、ＣＰＵ２００で処理されるソフトウェアプログラムに該当する。
【００７４】
関連情報蓄積部３０８は、関連情報取得部３０６が取得した関連情報を記録及び保持する。関連情報蓄積部３０８は、図２の構成において、ＲＯＭ２０１又はＲＡＭ２０２に該当する。
【００７５】
表示部３０９は、関連情報表示制御部３０７の制御内容に従って、関連情報を表示する。表示部３０９は、図２の構成において、ディスプレイコントローラ２０７及びディスプレイ２０８に該当する。
【００７６】
以上の機能構成により、情報表示装置１７０は、映像表示装置１２０の視聴者が視聴している映像番組を特定する音声識別情報を番組特定部３０４により生成し、配信サーバ１６０へ送信する。その後、通信部３０５は、配信サーバ１６０から送信される関連情報を取得する。情報表示装置１７０は、この関連情報に従って、映像表示装置１２０の映像番組と関連性のある情報を表示部３０９に表示する。これにより、視聴者は、映像表示装置１２０が表示している映像番組と、その映像番組に関連する情報との両者を享受できる。
【００７７】
図４は、映像番組を特定する番組特定情報の例を示す図である。図４に示される番組特定情報４０１は、「番組名」、「放送エリア情報」、「放送日時」、「番組ジャンル」、及び、「キーワード」を含む。
【００７８】
「番組名」は、放送される映像番組の名称又はタイトル等を示す情報である。「放送エリア情報」は、映像番組が電波による放送、又はケーブルＴＶ等による配信の場合、実際にその映像番組が配信される地域を特定するための情報である。「放送日時」は、当該番組が放送又は配信等される時刻情報を示すものであり、「放送日」、「放送開始時刻」、「放送終了時刻」の情報を有する。「番組ジャンル」は、映像番組のカテゴリーをしめすものであり、それぞれの番組内容に従って、所定の分類項目のいずれに該当するかを示す情報である。「キーワード」は、映像番組の内容等で特徴的な部分を、単語で示したものである。
【００７９】
図５は、配信サーバ１６０から返信される関連情報の例を示す図である。図５に示される関連情報５０１は、「ＩＤ」、「表示位置」、「表示期間」、及び、「表示情報」を含む。また、「表示期間」には、「開始時刻」と「終了時刻」とが含まれている。表示情報には、「タイトル」、「詳細情報」、又は、「代表画像」が、情報として含まれている。なお、１つの被写体に対して１つの関連情報が対応するようにすることで、情報表示装置１７０は、被写体に対応する関連情報を、視聴者に分かりやすく提示することができる。
【００８０】
「ＩＤ」は、当該関連情報を識別するための情報である。好ましくは、ＩＤは他のすべての関連情報と識別できるように、一意に決まる情報であることが好ましい。
【００８１】
「表示位置」は、映像表示装置１２０が、本関連情報に対応する被写体を映像表示装置１２０の表示面上のどこに表示しているかの位置情報を示す。位置情報は、例えば、表示面における位置座標で示される。より具体的には、例えばＨＤＴＶ（Ｈｉｇｈ  Ｄｅｆｉｎｉｔｉｏｎ  ＴＶ）の１９２０×１０８０の解像度を有する映像番組の場合に、この表示面上の位置座標（例えば、（４８０，２７０）等）となる。また、位置情報は、例えば、映像表示装置１２０の映像表示面を複数の領域（例えば、左上、右上、左下、及び、右下）に分割する場合に、その領域を示す情報（例えば、左上）であってもよい。「表示位置」は、第一位置に相当する。
【００８２】
「表示期間」は、本関連情報に該当する映像番組の被写体が、映像表示装置１２０の表示面に表示されている期間を示す情報である。表示期間の開始時刻及び終了時刻は、例えば、映像番組開始時からの相対時間で示されるものであってもよいし、映像番組開始時からのフレーム枚数等で特定されるものであってもよい。
【００８３】
「表示情報」は、本関連情報に該当する映像番組に含まれる被写体に関する情報を示す。「タイトル」は、この被写体の情報に対するタイトルである。タイトルの例は、被写体の名称、被写体の俗称、その他被写体から連想される文字列などである。「詳細情報」は、この被写体に関する詳細な情報を示す。詳細情報の例は、被写体の詳細を説明する文字列若しくは文章、被写体の詳細を説明したインターネット上のＵＲＬ若しくはＩＰアドレス等の位置を示す情報、又は、被写体と関連の深いＵＲＬ（被写体が人物である場合に、その人物が管理等するブログ、Ｔｗｉｔｔｅｒ、若しくは、Ｆａｃｅｂｏｏｋ等を示すＵＲＬ）である。「代表画像」は、被写体の外観等を示す画像である。代表画像の例は、被写体が人物である場合はその人物写真の画像データ、物品等である場合はその物品の画像データである。また、代表画像は、これら以外にも、被写体の特徴を示す別の画像データが含まれるものでもよい。
【００８４】
情報表示装置１７０は、図５に示すような関連情報を配信サーバ１６０から受信することにより、関連情報に含まれる表示情報（タイトル、詳細情報、又は、代表画像）を、表示位置及び表示期間の情報に基づいて好適に表示部３０９に表示する。
【００８５】
なお、図５は関連情報の一例を示す図であり、本開示における関連情報は、図５に示される関連情報５０１に限定されない。図５に示す関連情報５０１以外にも、関連情報は、映像表示装置１２０が表示する映像番組の映像に含まれる被写体等の表示情報、及び、それらを表示制御するための情報を含むものであってもよい。
【００８６】
図６は、情報表示装置の表示領域の分割の例を示す図である。すなわち、図６は、情報表示装置１７０が、関連情報に含まれる情報を表示する表示領域の位置を示す図である。関連情報表示制御部３０７は、関連情報に含まれる表示位置（第一位置）の情報に基づいて、表示情報を表示部３０９のどの部分に表示するかを決定する。表示部３０９において、表示情報が表示される位置は、第二位置に相当する。本実施の形態では、表示部３０９の表示面を、図６に示すように論理的に４つの領域、左上領域６０１、右上領域６０２、左下領域６０３、及び、右下領域６０４に分割する。
【００８７】
なお、表示部３０９の表示領域を論理的に分割する際の分割数は、４に限られず、２以上の任意の数であってよい。また、分割パターンについては、図６に示されるような、縦方向に２分割、横方向に２分割するパターンに限られず、任意のパターンであってよい。例えば、分割数が４の場合、縦方向に４分割、横方向には分割しない、というパターンであってもよい。
【００８８】
なお、表示部３０９の表示領域を論理的に分割するのではなく、映像表示装置の映像表示面の位置ごとに、表示部３０９上の位置を対応させて定めておき、関連情報に含まれる表示位置の情報に基づいて、表示情報を表示部３０９のどの位置に表示するかを決定するようにしてもよい。
【００８９】
さらに、表示部３０９上の位置を定める際に、表示部３０９の端部を含まない領域の仲から定めるようにしてもよい。
【００９０】
以下では、表示部３０９を、左上領域６０１、右上領域６０２、左下領域６０３、及び、右下領域６０４の４領域に分割する場合について説明する。
【００９１】
関連情報表示制御部３０７は、関連情報に含まれる表示位置に従って、それぞれの表示情報を図６に示される４つの領域のいずれの領域に表示情報を表示するかを決定する。
【００９２】
具体的には、表示位置の情報が、（ｘ，ｙ）のように座標情報で示されている場合、画面横方向の位置を示すｘの値に基づいて、左上領域６０１及び左下領域６０３を含む画面左領域と、右上領域６０２及び右下領域６０４を含む画面右領域のいずれに属するかを決定する。ｘの取り得る範囲が、０≦ｘ≦１９２０の場合において、ｘの実際の値が、０≦ｘ≦９６０の範囲の場合には、表示情報の表示位置を画面左領域（６０１及び６０３のいずれか）と決定する。ｘの実際の値が、９６０＜ｘ≦１９２０の範囲の場合には、表示情報の表示位置を画面右領域（６０２及び６０４のいずれか）と決定する。
【００９３】
同様に、ｙの取り得る範囲が、０≦ｙ≦１０８０の場合では、ｙの実際の値が０≦ｙ≦５４０の範囲の場合に、表示情報の表示位置を画面上領域（６０１及び６０２のいずれか）と決定する。反対に、ｙの実際の値が５４０＜ｙ≦１０８０の範囲の場合に、表示情報の表示位置を画面下領域（６０３及び６０４のいずれか）と決定する。
【００９４】
関連情報表示制御部３０７は、このように関連情報に含まれる表示位置の情報に基づいて、表示する情報の位置を表示部３０９のどこに表示するかを決定する。より具体的には、関連情報表示制御部３０７は、関連情報に含まれる表示位置の情報に従って、当該関連情報が表示する情報を、表示部３０９のあらかじめ論理的に分割した所定領域のいずれの領域に表示するかを決定する。関連情報に含まれる表示位置の情報は、当該関連情報に対応する被写体が映像表示装置１２０の表示面内において表示されている位置と関連づけられている。そのため、情報表示装置１７０の利用者は、視聴している映像表示装置１２０の映像面（表示面）に興味のある被写体が表示されると、映像面内での当該被写体の位置に応じて、それに関連する情報が、情報表示装置１７０の表示部３０９の対応する領域に表示される。例えば、映像表示装置において左上領域に表示されているオブジェクトの関連情報は、表示部３０９の左上領域に表示される。
【００９５】
その結果、情報表示装置１７０の利用者は、映像表示装置１２０と情報表示装置１７０との両装置を使用している場合においても、情報表示装置１７０の表示部から求める表示情報（関連情報）を比較的容易に見つけることができる。
【００９６】
上記のような制御により、映像表示装置１２０において被写体が表示されている表示位置に対応するように、表示部３０９における表示位置に、関連情報を表示することができる。
【００９７】
さらに、情報表示装置１７０は、表示部３０９の表示面を図６に示すように、論理的に分割したいずれかの領域に情報を表示する。情報表示装置１７０の利用者は、表示される情報があらかじめ分割された領域のいずれかに表示されることがわかっているので、探索するのは、この４カ所の領域から求める情報を探索すればよい。さらに、いずれの領域に求める情報が表示されるかは、映像表示装置上で被写体が表示された位置情報に基づいて、決定されるため、４つの領域のうちから、最も被写体が映し出された領域に近い領域に求める情報が表示される。そのため、視聴者は、実際には特定の領域（被写体の映し出される位置と最も近い領域）について情報を探索すればよいことになる。
【００９８】
なお、本実施の形態の情報表示装置１７０は、表示部３０９での論理的な領域分割により、関連情報に含まれる表示位置で示される位置の解像度よりも、表示部３０９における表示位置の解像度を粗くするように、座標変換を行う、ともいえる。情報表示装置１７０の利用者は、情報をより簡単に見つけ出すことを重要視するのであって、その情報が表示される表示位置の精度にはそれほど関心がないと考えられるため、このような座標変換が許容される。
【００９９】
以上より、関連情報表示制御部３０７は、関連情報に含まれる表示位置の情報に従って、表示部３０９の表示面を論理的に分割した領域のいずれの領域に、関連情報の表示情報を表示するかを決定することで、より情報表示装置１７０の利用者に、表示する情報をより見易くすることができる。
【０１００】
［１−２．動作］
図７は、本実施の形態における関連情報を取得及び表示する処理の例を示すフローチャートである。
【０１０１】
（ステップＳ７０１）番組特定部３０４は、音声入力部３００及び入力制御部３０３より入力される音声信号から、音声の特徴を抽出し、その音声信号固有の識別情報を生成する。より具体的には、例えば、入力される所定期間の音声デジタル情報（信号）の特徴部分に、特定のハッシュ関数を施す処理を行う。このハッシュ関数処理により算出されるハッシュ値が入力される音声信号の識別情報となる。なお、本実施の形態で説明する識別情報の生成は、この方法に限らず他の方法を用いてもよい。例えば、入力される音声デジタル情報全体に、ハッシュ関数を施す方法であってもよい。また、ハッシュ関数の代わりに、音声信号などを数値に変換することができる任意の関数を用いてもよい。
【０１０２】
番組特定部３０４は、この音声信号固有の識別情報を、通信部３０５を用いて配信サーバ１６０へ送信する。番組特定部３０４は、この送信に対する返信として、配信サーバ１６０から、通信部３０５により、当該音声に対応する映像番組の情報（番組特定情報）を取得する。番組特定部３０４は、取得した番組特定情報を関連情報蓄積部３０８へ記録する。
【０１０３】
（ステップＳ７０２）関連情報表示制御部３０７は、番組特定情報に基づいて、映像表示装置１２０で表示されている映像番組の関連情報を取得するように、関連情報取得部３０６へ指示する。関連情報取得部３０６は、関連情報表示制御部３０７から送られてきた番組の情報にもとづいて、当該番組に対応する関連情報を通信部３０５を用いて配信サーバ１６０へ要求する。関連情報取得部３０６は、配信サーバ１６０から要求した関連情報を受信すると、関連情報蓄積部３０８へ記録する。
【０１０４】
（ステップＳ７０３）関連情報表示制御部３０７は、関連情報蓄積部３０８に記録された映像番組の関連情報を、表示部３０９へ表示するための制御を行う。関連情報表示制御部３０７の具体的な表示制御内容については、後述する。
【０１０５】
（ステップＳ７０４）関連情報表示制御部３０７は、上記で取得した番組特定情報と、タイマー部３０２が出力する時刻情報等とを比較して、映像表示装置１２０が表示している映像番組が終了したか否かを判定する。終了する場合、もしくは、既に終了している場合には、処理を終了する。反対に、比較の結果、映像番組が継続していると判定される場合には、関連情報表示制御部３０７は、ステップＳ７０２に処理を戻し、関連情報の更新取得処理、表示制御等を行う。
【０１０６】
図８は、本実施の形態における取得した関連情報から表示制御を行う処理の例を示すフローチャートである。すなわち、図８は、関連情報表示制御部３０７が、関連情報蓄積部３０８に記録及び保持された関連情報に基づいて表示部３０９の表示制御を行う処理の例を示すフローチャートである。このフローチャートは、上述の図７のフローチャートにおけるステップＳ７０３の処理をより詳細に説明するものである。
【０１０７】
番組特定部３０４が、ステップＳ７０１において、映像表示装置１２０が表示している映像番組に対する映像番組特定情報を取得すると、関連情報表示制御部３０７は、本フローチャートの処理を開始する。
【０１０８】
（ステップＳ８０１）関連情報表示制御部３０７は、関連情報蓄積部３０８から、関連情報を読み出す。読み出した関連情報に含まれる表示期間の開始時刻及び終了時刻と、タイマー部３０２から取得した現在時刻の情報とを比較する。比較の結果、現在時刻が表示期間内に含まれると判定される場合（ステップＳ８０１でＹｅｓ）は、処理をステップＳ８０２へ移す。反対に、当該関連情報について、現在時刻情報が表示期間内に含まれないと判定される場合（ステップＳ８０１でＮｏ）は、処理をステップＳ８０５へ移す。
【０１０９】
（ステップＳ８０２）関連情報表示制御部３０７は、関連情報に含まれるＩＤに基づいて当該関連情報が既に登録済か否かを判定する。関連情報表示制御部３０７は、該当する関連情報のＩＤと、表示管理テーブルに記録済のＩＤとを比較して判定する。
【０１１０】
図９は、本実施の形態における表示管理テーブルの例を示す図である。表示管理テーブル９０１は、関連情報蓄積部３０８等に、関連情報とともに記録及び保持されている。表示管理テーブル９０１は、「表示領域」、「表示中関連情報」、及び、「一覧表示リスト」の項目を有する。表示管理テーブル９０１は、これらの管理項目を、図６で示した表示部３０９の分割した表示領域ごとに管理する。図９では表示領域として「左上（領域）」、「右上（領域）」、「左下（領域）」、「右下（領域）」の表示領域が示されている。後述するステップＳ８０３において、関連情報表示制御部３０７が、新たな関連情報に含まれる表示情報を表示部３０９に表示すると、関連情報表示制御部３０７は、該当の関連情報のＩＤを、表示管理テーブルの「表示中関連情報」の項目に記録する。
【０１１１】
関連情報に含まれるＩＤが登録済か否か、とは、言い換えれば、該当の関連情報に含まれる表示情報が表示部３０９に既に表示されているか否か、ということである。関連情報表示制御部３０７は、該当の関連情報がすでに表示済である場合（ステップＳ８０２でＮｏ）は、関連情報の表示を継続させたまま、ステップＳ８０４へ処理を移す。反対に該当の関連情報がまだ表示されていない場合（ステップＳ８０２でＹｅｓ）は、関連情報表示制御部３０７は、ステップＳ８０３へ制御を移す。
【０１１２】
（ステップＳ８０３）関連情報表示制御部３０７は、該当の関連情報に含まれる表示情報を上記で説明したように、表示位置の情報に基づいて、表示部３０９の論理的に分割された４つのいずれかの領域に表示する。具体的な表示制御内容については、後述する。
【０１１３】
（ステップＳ８０４）関連情報表示制御部３０７は、関連情報蓄積部３０８に蓄積されている関連情報について、同様の処理を繰り返す。すべての関連情報について処理が終了すれば、本フローを終了する。
【０１１４】
（ステップＳ８０５）関連情報表示制御部３０７は、現在時刻が表示期間内に収まらない場合の関連情報について、表示管理テーブルに当該ＩＤが登録されているか否かを確認する。ここで、ＩＤが登録されていると確認されるのは、すでに表示済の関連情報について、表示期間で示される表示終了時刻等に達した場合である。この場合（ステップＳ８０５でＹｅｓ）には、関連情報表示制御部３０７は、ステップＳ８０６、ステップＳ８０７及びステップＳ８０８の処理により、表示されている情報の消去等を行う。反対に、関連情報が表示されていない場合（ステップＳ８０５でＮｏ）は、処理がステップＳ８０４へ移る。
【０１１５】
（ステップＳ８０６）関連情報表示制御部３０７は、表示部３０９に既に表示されている関連情報の表示情報を消去する。該当の表示情報が表示部３０９のどの領域に表示されているかは、表示管理テーブルに基づいて、該当の関連情報ＩＤと表示領域との関係から判別される。
【０１１６】
（ステップＳ８０７）関連情報表示制御部３０７は、表示管理テーブルの「表示中関連情報」に記録されている該当の関連情報ＩＤを削除する。これにより、制御上の情報からも当該関連情報が表示対象外となる。
【０１１７】
（ステップＳ８０８）関連情報表示制御部３０７は、関連情報蓄積部３０８に記録されている当該関連情報を削除する。なお、この削除処理は必ず行わなければならないものではない。
【０１１８】
関連情報表示制御部３０７は、上記に説明するような処理フローにより、配信サーバ１６０から受信した関連情報を、それぞれの表示期間に応じて、表示部３０９に表示することが可能となる。
【０１１９】
図１０は、表示管理テーブル９０１に基づいて、関連情報表示制御部３０７が表示部３０９に表示する関連情報の表示内容を更新する際の処理の例を示すフローチャートである。本フローチャートは、ステップＳ８０３の処理を詳細に示すものである。また、図１１は、表示管理テーブルの更新の説明図である。図１０及び図１１を参照して、関連情報表示制御部３０７が関連情報の表示内容を更新する際の処理について詳細に説明する。
【０１２０】
関連情報表示制御部３０７は、ステップＳ８０２において表示することが決まった関連情報について、その表示位置の情報から、実際に表示部３０９の表示面上で表示する領域を決定する。
【０１２１】
（ステップＳ１００１）関連情報表示制御部３０７は、表示位置の情報に基づいて、図６のように表示領域を論理的に分割した際に、いずれの領域に情報を表示するかを決定する。決定方法の一例として、上述のように、表示位置（ｘ、ｙ）の値から、選択する領域を決定する方法がある。なお、決定の方法は、この方法に限定されない。
【０１２２】
（ステップＳ１００２）ステップＳ１００１において、関連情報を表示する表示領域が決定されると、関連情報表示制御部３０７は、当該領域においてすでに表示済の他の関連情報があるか否か（表示領域に空きが有るか否か）を判定する。具体的には、関連情報表示制御部３０７は、図９で示す表示管理テーブルを用いて判定する。関連情報表示制御部３０７は、表示管理テーブルの、関連情報を表示する領域の「表示中関連情報」に記録されている表示済関連情報のＩＤを取得する。ここにすでに他の別の関連情報のＩＤが記録されている場合には、当該領域において表示済の関連情報が存在することを意味する。「表示中関連情報」の領域に、いずれの関連情報のＩＤも記録されていなければ、当該領域において表示されている関連情報はないことを意味する。これにより、関連情報表示制御部３０７は、表示しようとしている領域について、既に表示済の他の関連情報があるか否か（表示領域に空きが有るか否か）を判定する。すでに表示済の他の関連情報がある（表示領域に空きがない）場合（ステップＳ１００２でＮｏ）、関連情報表示制御部３０７は制御をステップＳ１００３へ移す。反対に、表示中の他の関連情報がない（表示領域に空きがある）場合（ステップＳ１００２でＹｅｓ）、関連情報表示制御部３０７は、制御をステップＳ１００４へ移す。
【０１２３】
ここでは、当該領域に１つの関連情報を表示可能な場合について説明したが、当該領域に２つ以上の関連情報を表示可能としてもよい。その場合は、ステップＳ１００２において、「既に表示済の他の関連情報があるか否かを判定する」代わりに、「既に表示済の他の関連情報が表示可能な最大数であるか否かを判定する」ようにすればよい。
【０１２４】
図１１の（ａ）は、既に表示済の他の関連情報Ａが表示管理テーブルに登録されている場合の表示管理テーブルの例である。関連情報Ａは、表示管理テーブルの「左下領域」の「表示中関連情報」と「一覧表示リスト」とに登録されている状態である。
【０１２５】
（ステップＳ１００３）関連情報表示制御部３０７は、「表示中関連情報」から既に登録されている関連情報のＩＤを削除する。これにより、「表示中関連情報」を空けることができ、新たな関連情報の情報を表示することが可能な状態となる。
【０１２６】
図１１の（ｂ）は、図１１の（ａ）の状態から左下領域に表示されている関連情報Ａを「表示中関連情報」の項目から削除した状態である。「表示中関連情報」から関連情報Ａは削除されるが、「一覧表示リスト」には継続して関連情報Ａは登録されている。
【０１２７】
（ステップＳ１００４）関連情報表示制御部３０７は、新たに表示する関連情報のＩＤを表示管理テーブルの該当する「表示領域」の「表示中関連情報」に登録する。これにより、新たな関連情報の表示情報内容が表示対象となる。また、関連情報表示制御部３０７は、「一覧表示リスト」にもこの新たな関連情報のＩＤを登録する。
【０１２８】
図１１の（ｃ）は、図１１の（ｂ）の状態に新たに関連情報Ｂを登録した状態を示す。「表示中関連情報」及び「一覧表示リスト」の双方に関連情報Ｂが登録されていることがわかる。
【０１２９】
（ステップＳ１００５）関連情報表示制御部３０７は、表示管理テーブルの内容に従って表示部３０９への表示内容を更新する。表示管理テーブルは、ステップＳ１００３や、ステップＳ９０４で説明したように、表示部３０９へ表示すべき状態情報を保持しているため、関連情報表示制御部３０７は、この情報に基づいて表示内容を変更する。
【０１３０】
図１２は、映像表示装置１２０の表示内容と情報表示装置１７０の表示内容との更新の説明図である。具体的には、図１２は、関連情報表示制御部３０７が、図１０で示したフローチャートに従って、映像表示装置１２０の表示内容の更新に連動して表示部３０９の表示内容を更新する場合の表示内容の説明図である。
【０１３１】
図１２の（ａ１）は、映像表示装置１２０に、被写体が何も表示されていない状態を示す。このときの情報表示装置１７０の状態を図１２の（ａ２）に示す。図１２の（ａ２）は、制御開始時において、表示部３０９に何も情報が表示されていない状態を示す。なお、図１２の（ａ２）における縦線（線１２０１）、及び、横線（線１２０２）は、表示領域の分割を示す論理的な領域の境界を示すものである。線１２０１、及び、線１２０２は、情報表示装置１７０の視聴者に視認されるように表示部３０９上に表示されてもよいし、表示されなくてもよい。
【０１３２】
次に、図１２の（ｂ１）のように、映像表示装置１２０に被写体である人物Ａが登場する（表示開始する）。
【０１３３】
図１２の（ｂ２）は、情報表示装置１７０が、人物Ａの関連情報である関連情報５０１Ａを表示部３０９に表示した場合の例である。関連情報５０１Ａは、その表示位置の情報に基づいて、表示部３０９の左下領域に表示される。表示情報の具体的な内容としては、関連情報５０１Ａの「タイトル」と「詳細情報」との内容が表示される。なお、表示の形態はこの内容に限定されない。関連情報に「代表画像」等が含まれる場合は、これを含んでもよい。また、「タイトル」、「詳細情報」及び「代表画像」のうちの１つ以上を含むものであってよい。
【０１３４】
次に、図１２の（ｃ１）のように、さらに、映像表示装置１２０に被写体である人物Ｂが登場（表示開始）される。
【０１３５】
図１２（ｃ２）は、新たな被写体Ｂの関連情報である関連情報５０１Ｂが表示される場合の例である。このとき、図１０のフローチャートで示したように新たな関連情報である関連情報Ｂの情報が表示部３０９の左下領域に表示される。なお、ここで、情報表示装置１７０は、被写体Ｂの関連情報５０１Ｂだけでなく、図１２の（ｃ３）のように、被写体Ａの関連情報５０１Ａをも表示してもよい。そして、図１２の（ｃ２）の表示とするか、（ｃ３）の表示とするかを、利用者の入力によって切り替えるようにしてもよいし、所定の周期で自動的に切り替えるようにしてもよい。表示の切替に関する方法は、これらに限定されない。
【０１３６】
図１２の（ｃ３）は、図１２の（ｃ２）の状態における表示管理テーブルの「一覧表示リスト」の内容を表示した場合の例である。一覧表示リストには、現在表示されている関連情報５０１Ｂと、その前に同領域に表示されていた関連情報５０１Ａとが含まれている。関連情報表示制御部３０７は、このように、同一領域に複数の表示すべき関連情報がある場合において、通常の表示をするときは、最新の関連情報のみを表示する一方、一覧表示をするときは、図１２の（ｃ２）のように一覧表示リストに含まれる複数の関連表示リストを表示するものであってもよい。これにより利用者は、表示されていない他の情報についても、参照することが可能となる。
【０１３７】
次に、図１２の（ｄ１）のように、人物Ａが、映像表示装置１２０の画面上の右上に移動する。
【０１３８】
図１２の（ｄ２）は、映像表示装置１２０上において被写体Ａが、画面左下領域から画面右上領域へ移動した場合の例を示す図である。このとき、関連情報Ａの表示位置が、左下領域から、右上領域へと変わっている。この場合、左下領域に関連情報Ａを表示する場合のＩＤと、右上領域に関連情報Ａを表示する場合のＩＤとで異なるＩＤを使用することで、図１０のフローチャートを利用してこのような表示情報の画面上での移動を行うことができる。
【０１３９】
次に、図１２の（ｅ１）のように、人物Ａが、映像表示装置１２０の画面上から消滅する（表示終了する）。
【０１４０】
図１２（ｅ２）は、人物Ａの関連情報５０１Ａの表示期間が終了した場合の表示部３０９の表示内容を示す例である。この場合は、図８のフローチャートで示した、表示管理テーブルから該当の関連情報のＩＤが削除されることで、関連情報表示制御部３０７は、その内容に従って表示部３０９の内容を更新する。
【０１４１】
なお、関連情報に「領域パターン」を含めてもよい。「領域パターン」とは、映像表示装置１２０が表示する映像（番組）又は映像（番組）のシーンに対応して定められるものであって、映像表示面を論理的に分割するパターンを示すものである。領域パターンは、具体的には、分割数（４分割、２分割など）、分割パターン（縦に２分割及び横に２分割、横に４分割、など）などを示す情報である。さらに、領域パターンは、１つ映像（番組）の途中で変更されてもよい。例えば、被写体の動きが激しいシーンでは、表示面領域の数を減らすようにしてもよい。関連情報に「領域パターン」を含む場合、「表示位置」は、映像表示面をその領域パターンによって論理的に分割した場合のオブジェクトの位置を示す情報となる。
【０１４２】
情報表示装置１７０は、「領域パターン」及び「表示位置」を含む関連情報を受信したら、表示部３０９を「領域パターン」に従って論理的に分割してできる領域のうち、「表示位置」が示す領域に、関連情報を表示する。例えば、被写体の動きが激しいシーンでは、従来技術によれば関連情報も被写体の動きに連動して激しく移動するが、本開示によれば関連情報の移動が小さくなる。これにより、視聴者が関連情報を得やすくなる。
【０１４３】
なお、本開示の情報表示装置に必須の構成要素は以下である。図３Ｂは、実施の形態１における情報表示装置の機能構成の他の例（情報表示装置１７０Ａ）を示す図である。図３Ｂに示されるように、情報表示装置１７０Ａは、関連情報取得部３０６、表示制御部３０７Ａ、及び、表示部３０９を有する。
【０１４４】
関連情報取得部３０６は、情報表示装置の外部の映像表示装置の映像表示面に表示されているオブジェクトの映像表示面上の第一位置を示す位置情報と、オブジェクトの属性情報を示すオブジェクト情報とを含む関連情報を取得する。
【０１４５】
表示部３０９は、関連情報取得部３０６が取得した関連情報に含まれるオブジェクト情報を表示する。
【０１４６】
表示制御部３０７Ａは、映像表示面におけるオブジェクトの表示に連動して、関連情報に含まれる位置情報が示す第一位置に対応する表示部３０９上の第二位置にオブジェクト情報を表示するように、表示部３０９を制御する。
【０１４７】
これにより、情報表示装置は、映像の被写体に関する情報の容易な取得を可能とする。
【０１４８】
［１−３．効果等］
以上のように、本実施の形態における情報表示装置によれば、映像の視聴者は、映像表示装置の映像表示面に表示されているオブジェクトに関連する関連情報を、情報表示装置から得ることができる。その際、表示される関連情報の表示部（表示画面）上の位置は、オブジェクトの映像表示面上の位置に対応した位置となる。そのため、視聴者は、複数の位置に情報が表示されうる表示部において、オブジェクトの映像表示面上の位置に対応した箇所を見ることで、容易に当該オブジェクトの関連情報を見つけることができる。よって、映像の被写体に関する情報の容易な取得が可能となる。
【０１４９】
また、情報表示装置の表示部において、映像表示装置に表示されたオブジェクトの関連情報が表示される箇所の候補が、所定数の箇所に絞り込まれる。視聴者は、その複数の箇所のいずれかを見ることで、関連情報をさらに容易に発見することができる。さらに、表示部上の箇所であって視聴者が閲覧しにくい箇所（例えば、表示部内の端の位置）を、その候補から除外しておくことにより、関連情報が表示されうる箇所を、視聴者が発見及び閲覧しやすい箇所に絞ることができる。よって、映像の被写体に関する情報のより容易な取得が可能となる。
【０１５０】
また、情報表示装置の表示部において、映像表示装置に表示されたオブジェクトの関連情報が表示される箇所の候補が、所定数の箇所に絞り込まれる。しかも、映像表示装置の表示面を構成する複数の領域（表示面領域）ごとに、その領域に表示されるオブジェクトの関連情報が表示される情報表示装置上の領域が定められている。視聴者は、映像表示面上でオブジェクトが属している表示面領域を把握し、その領域に対応する表示部上の領域を見ることで、関連情報をさらに容易に発見することができる。よって、映像の被写体に関する情報のより容易な取得が可能となる。
【０１５１】
また、情報表示装置は、映像表示面上の表示の変化に追随して、映像表示面に表示されているオブジェクトの関連情報を表示する。よって、映像の被写体に関する情報のより容易な取得が可能となる。
【０１５２】
また、映像表示装置が表示する映像のシーンに対応して、映像表示装置の表示面領域のパターンが変更され、それにともなって、視聴者が関連情報を得やすいように、情報表示装置の表示部の領域パターンも変更される。例えば、映像の動きが激しいシーンでは、表示面領域の数を減らすことで、視聴者が関連情報を得やすくなる。よって、映像の被写体に関する情報のより容易な取得が可能となる。
【０１５３】
また、情報表示装置の表示面積が限られている場合に、複数の関連情報のうち、より新しい情報を表示することができる。よって、映像のより新しい被写体に関する情報の容易な取得が可能となる。
【０１５４】
また、映像表示装置上のオブジェクトの相対位置と、情報表示装置の表示部上の関連情報の相対位置とが等しくなる。視聴者は、映像表示装置の表示面上のオブジェクトの相対位置と同じ、情報表示装置の表示部上の位置を参照することで、オブジェクトの関連情報を見つけることができる。よって、映像の被写体に関する情報の容易な取得が可能となる。
【０１５５】
また、映像表示装置上にオブジェクトが表示されている時に、リアルタイムにそのオブジェクトに関連する情報を表示することができる。
【０１５６】
また、視聴者は、オブジェクトの関連情報として、タイトル、詳細情報、及び、代表画像のうちの少なくとも１つを得ることができる。
【０１５７】
また、視聴者は、映像表示装置の表示面を４分割した表示面領域におけるオブジェクトの関連情報を、情報表示装置から取得することができる。
【０１５８】
すなわち、本実施の形態で説明した情報表示装置１７０は、配信サーバ１６０から受信する関連情報に含まれる「表示位置」の情報に基づいて、表示する情報を表示部３０９の好適な位置に表示する。この際、関連情報表示制御部３０７は、関連情報に含まれる「表示位置」の情報を、表示部３０９の所定に分割された表示領域のいずれかに対応させる。これにより、関連情報表示制御部３０７は、表示する関連情報を表示部３０９に好適に表示することが可能となる。その結果、映像表示装置１２０を視聴しながら、情報表示装置１７０で、映像表示装置１２０が映し出す映像に表示される被写体の情報を視聴する際に、より素早く対象となる情報を表示部３０９の表示面から探し出すことができる。
【０１５９】
（実施の形態２）
本実施の形態では、表示位置の移動を示すことができる関連情報の構成の例について説明する。
【０１６０】
図１３を用いて、本実施の形態について説明する。本実施の形態の説明では、実施の形態１と相違する点を中心に説明する。その他の点については、実施の形態１と共通のため説明を省略する。
【０１６１】
［２−１．構成］
本実施の形態と、実施の形態１とで異なるのは関連情報の構成である。本実施の形態で使用する関連情報の一例を図１３に示す。
【０１６２】
図１３は、本実施の形態における関連情報の例（関連情報１３０１）を示す図である。図１３に示される関連情報１３０１は、実施の形態１における関連情報５０１の構成とは、表示位置と表示期間との情報について異なる。本実施の形態における関連情報１３０１では、表示位置１及び表示期間１の組み合わせと、表示位置２及び表示期間２の組み合わせとを有する。
【０１６３】
［２−２．動作］
関連情報表示制御部３０７は、図１２の（ｂ２）（又は（ｃ２））から図１２の（ｄ２）へ移る過程で示されたように、人物Ａの移動に従い、関連情報５０１Ａを表示部３０９上で移動して表示する場合に、図１３に示す関連情報１３０１を用いる。つまり、図１２の（ｂ２）に対応する表示内容について、関連情報１３０１の表示位置１及び表示期間１にその情報（表示位置と表示期間）が設定される。また、図１２（ｄ２）に対応する表示内容について、関連情報１３０１の表示位置２及び表示期間２にその情報が示される。これにより、関連情報表示制御部３０７は、一つの関連情報で、表示の移動（表示領域が変化すること）が把握できる。
【０１６４】
なお、上記の説明では図１２の（ｂ２）（又は（ｃ２））から図１２の（ｄ２）に示す１回の移動のみについて説明したが、本実施の形態はこの内容に限定されない。複数回の移動について関連情報に含まれるものであってもよい。この場合は、表示位置１及び表示期間１の組み合わせと、表示位置２及び表示期間２の組み合わせと、表示位置ｎ及び表示期間ｎの組み合わせと、といったように組み合わせの数を増やせばよい。
【０１６５】
［２−３．効果］
以上のように、関連情報に表示対象となる情報の表示位置が変化（移動）する際の情報等を含めたものであってもよい。この場合は、関連情報表示制御部３０７は、この内容にしたがって、それぞれの表示期間（表示時刻）に応じて、表示する情報の表示位置を、あらかじめ定めた表示部３０９上の表示領域に好適に割り当てることで、表示位置が変化する情報についても利用者に見易い情報表示が可能となる。
【０１６６】
（実施の形態３）
本実施の形態では、関連情報の種別に応じて表示位置を調整する例について説明する。
【０１６７】
図１４を用いて、本実施の形態について説明する。本実施の形態の説明では、実施の形態１と相違する点を中心に説明する。その他の点については、実施の形態１と共通のため説明を省略する。
【０１６８】
［３−１．構成］
本実施の形態と、実施の形態１とで異なるのは表示部３０９の表示面をあらかじめ分割しておく際の分割方法である。つまり、実施の形態１とは、関連情報表示制御部３０７における処理が異なる。
【０１６９】
［３−２．動作］
本実施の形態では、表示部３０９を図１４に示すように分割する。具体的には、表示部３０９を横方向に４分割する。それぞれの領域を左から、第１領域１４０１、第２領域１４０２、第３領域１４０３、及び、第４領域１４０４とする。また、第１〜第４領域（１４０１〜１４０４）については、縦方向に上から、タイトル領域１４０５、詳細領域１４０６、及び、画像領域１４０７とする。なお、縦方向に分割された領域に対して、タイトル、詳細、及び、画像という名称を付したが、その領域に表示される情報の種類（種別）は、当該種別に限定されない。
【０１７０】
関連情報表示制御部３０７は、関連情報に含まれる「表示位置」の情報に基づいて、上記の第１〜第４領域のいずれに該当するかを決定する。この決定は、「表示位置」情報のＸ軸方向の座標に基づいて決定すればよい。
【０１７１】
また、関連情報表示制御部３０７は、表示する関連情報について第１〜第４領域のいずれの領域に表示するかを決定すると、当該決定された領域において、関連情報の「表示情報」に含まれる、「タイトル」、「詳細情報」、「画像情報」（図５）に基づいて、タイトル領域１４０５、詳細領域１４０６、及び、画像領域１４０７にそれぞれの情報を表示する。
【０１７２】
別の言い方をすれば、関連情報表示制御部３０７は、関連情報に含まれる「表示位置」の情報に基づいて、関連情報の表示位置を決定した後、関連情報の種別に応じて、その表示位置を調整する。この調整は、具体的には、表示位置を決定した後に、関連情報の種別により定められる相対位置を、当該表示位置に加算する処理により実現される。
【０１７３】
これにより、情報表示装置１７０の利用者は、表示される情報の種類が縦方向に統一され、横方向にそれぞれの情報が並べられることで、見易い表示画面を得ることができる。また、同一の種類の情報が横方向に並んでいるので、「タイトル」によって対象となる情報を主に探す利用者、「画像」によって対象となる情報を主に探す利用者等のそれぞれにとって、求める情報を探索しやすい。
【０１７４】
［３−３．効果］
以上のように、本実施の形態における情報表示装置によれば、情報表示装置は、オブジェクトのタイトル又は詳細情報のような情報の種別に対応して、表示部に表示される関連情報の位置を変更することにより、情報の種別に応じて関連情報の表示箇所を調整することができる。例えば、関連情報の表示の上部にはタイトルが表示されるようにすることができる。視聴者は、オブジェクトの関連情報を探す際に、情報の種別に応じて定まる表示部上の場所を見ることで、さらに容易に目的にオブジェクトに関する情報を取得することができる。例えば、視聴者が、オブジェクトのタイトルから関連情報を探したい時には、表示部の上部を見ることで容易に発見することができる。よって、映像の被写体に関する情報のより容易な取得が可能となる。
【０１７５】
すなわち、関連情報表示制御部３０７は、表示部３０９の表示領域を、表示位置だけでなく、表示する情報の種類等によっても分割することで、より情報の表示が可能となる。この場合にも、横方向の情報の表示位置は、映像表示装置１２０等で示される映像内の被写体の位置によって、好適な位置が決定されるため、映像表示装置１２０の映像と、情報表示装置１７０が表示する情報の表示位置とは関連性のあるものとなる。その結果、より利用者に好適な情報の表示が可能となる。
【０１７６】
（その他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【０１７７】
なお、上記の実施の形態１〜３においては、情報表示装置１７０で本出願の発明を実現する場合について記載したが、本出願の発明はこれに限定されるものではない。例えば、情報表示装置１７０のハードウェアを用い、演算装置で実行されるソフトウェアプログラム等として実現することも可能である。
【０１７８】
また、上記の実施の形態１〜３において、情報表示装置１７０だけでなく、情報表示装置１７０と映像表示装置１２０とを含めた情報表示システム１００として実現することも可能である。
【０１７９】
また、実施の形態１〜３において、表示部３０９の表示領域を４分割して情報を表示する場合を説明したが、本開示は、これに限定されるものではない。８分割等の４分割以上の領域に分割するものであってもよいし、２又は、３分割に分割するものであってもよい。分割数は、情報表示装置１７０が備える表示部３０９の大きさに基づいて決定してもよい。表示部３０９の表示面が大きい場合には、８分割、１６分割等をしても、それぞれの情報が適度な大きさで表示されると考えられる。しかし、表示部３０９の表示面が比較的小さい場合は、８分割、１６分割等をするとそれぞれの表示領域に表示される情報が小さすぎて、実際の利用ではほとんど見えないという課題も起こりえる。そのため、表示部３０９の領域数は、実質的に利用可能な程度に分割するものであってもよい。
【０１８０】
また、実施の形態１〜３において、同じ表示時刻、同じ表示領域に複数の情報を表示する場合、表示すべき情報のなかから一つの情報を選んで表示するものであってもよい。また、当該表示領域に隣接する隣接領域に表示する情報が無い場合は、その隣接領域に、本来当該領域に表示すべき情報を表示するものであってもよい。隣接領域も使用して情報を表示することで、複数の表示する情報がある場合でも、より多くの情報が表示できるとともに、表示位置は、当該表示領域を中心に情報を表示するため、表示部３０９の全体表示面における相対的な表示位置は維持されることから、利用者は求める情報をより簡単に探すことができる。
【０１８１】
また、実施の形態１〜３において、映像表示装置で表示されている映像番組の特定に、マイクで映像番組の音声を取得し、そこから映像番組を特定する方法について説明した。本出願の発明はこれに限定されるものではない。上記以外にも、映像表示装置から通信等で、直接、表示中の映像番組を特定する情報を取得するものであってもよい。音声で番組を特定することで、本出願の情報表示装置が、すでに普及している通信装置を備えていないＴＶ（映像表示装置）にも利用することが可能となるメリットがる。また、映像表示装置から通信等で直接情報を取得することで、より信頼性の高い番組特定を行うことが可能となる。
【０１８２】
また、実施の形態１〜３において、音声固有の識別情報を、配信サーバ１６０へ送信し、この送信に対する返信として当該音声に対する映像番組の情報（番組特定情報）を取得している場合を説明したが（図１）、本出願の発明はこれに限定されるものではない。上記以外にも、図１５で示すように、音声固有の識別情報を基に番組を特定する他のサーバ（番組特定サーバ１５１０）へ音声固有の識別情報を送信し、当該音声に対する映像番組の情報（番組特定情報）を取得するものであってもよい。配信サーバ１６０は、映像番組に関する情報のみを配信するだけでよくことから、サーバの負荷分散のメリットがる。
【０１８３】
以上のように、本開示における技術の例示として、実施の形態を説明した。そのために、添付図面および詳細な説明を提供した。
【０１８４】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１８５】
また、上述の実施の形態は、本開示における技術を例示するためのものであるから、請求の範囲またはその均等の範囲において種々の変更、置き換え、付加、省略などを行うことができる。
【産業上の利用可能性】
【０１８６】
本開示の情報表示装置は、ＴＶ等の映像表示装置とともに視聴者が持つ端末として利用できる。より、具体的には、視聴者がＴＶ映像視聴時に携帯するスマートフォンのようなモバイル端末等で実現することが可能である。
【符号の説明】
【０１８７】
１００、１５００  情報表示システム
１１０  放送局
１２０  映像表示装置（ＴＶ）
１３０  データベース
１４０  専門業者
１５０  一般ユーザ
１６０  配信サーバ
１７０、１７０Ａ  情報表示装置
１８０  利用者
２００  ＣＰＵ
２０１  ＲＯＭ
２０２  ＲＡＭ
２０３  無線ＬＡＮアンテナ
２０４  ネットワークコントローラ
２０５  タッチパネルコントローラ
２０６  ユーザ入力検出センサ
２０７  ディスプレイコントローラ
２０８  ディスプレイ
２０９  音声出力コントローラ
２１０  スピーカ
２１１  音声入力コントローラ
２１２  マイク
３００  音声入力部
３０１  ユーザ入力検出部
３０２  タイマー部
３０３  入力制御部
３０４  番組特定部
３０５  通信部
３０６  関連情報取得部
３０７  関連情報表示制御部
３０７Ａ  表示制御部
３０８  関連情報蓄積部
３０９  表示部
１５１０  番組特定サーバ
１５２０  番組特定データベース
【図１】
2013088604.tif 000003
【図２】
2013088604.tif 000004
【図３Ａ】
2013088604.tif 000005
【図３Ｂ】
2013088604.tif 000006
【図４】
2013088604.tif 000007
【図５】
2013088604.tif 000008
【図６】
2013088604.tif 000009
【図７】
2013088604.tif 000010
【図８】
2013088604.tif 000011
【図９】
2013088604.tif 000012
【図１０】
2013088604.tif 000013
【図１１】
2013088604.tif 000014
【図１２】
2013088604.tif 000015
【図１３】
2013088604.tif 000016
【図１４】
2013088604.tif 000017
【図１５】
2013088604.tif 000018
【手続補正書】
【提出日】平成26年2月14日(2014.2.14)
【手続補正１】
【補正対象書類名】明細書
【補正対象項目名】全文
【補正方法】変更
【補正の内容】
【発明の詳細な説明】
【技術分野】
【０００１】
本開示は、情報表示装置、情報表示方法、及び、情報表示システムに関する。
【背景技術】
【０００２】
モバイル端末が普及し、視聴者はモバイル端末を日常的に携帯するシーンが増えている。それに伴ってモバイル端末の新たな利用可能性が考えられる。その一例は、視聴者がモバイル端末を携帯して、ＴＶ（Ｔｅｌｅｖｉｓｉｏｎ）等の映像を視聴している場合である。視聴者は、視聴者が所有するモバイル端末を利用して、ＴＶ等の映像番組中の映像に映し出される被写体に関するより詳細な情報等について、ネットワーク上の情報を検索、取得、及び、閲覧する。これにより、視聴者は、視聴している映像番組に関連する情報をより即時性を持って閲覧することが可能となる。
【０００３】
映像放送等において映像とともにその映像に関連する関連情報を表示する技術が開示されている（例えば、特許文献１）。特許文献１に開示される技術では、映像放送等において映像とともにその映像に関連する関連情報が視聴装置に送られる。視聴者は、視聴装置の表示面上で興味のある対象物を選択する。視聴装置は、表示面上での選択された位置に基づいて、複数の関連情報の中から選択された被写体に関連する関連情報を特定し、特定された被写体の情報を表示する。
【先行技術文献】
【特許文献】
【０００４】
【特許文献１】特開２００２−２０９２０４号公報
【発明の概要】
【発明が解決しようとする課題】
【０００５】
本開示は、映像の被写体に関する情報の容易な取得を可能とする情報表示装置を提供する。
【課題を解決するための手段】
【０００６】
本開示における情報表示装置は、前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得部と、前記関連情報取得部が取得した前記関連情報に含まれる前記オブジェクト情報を表示する表示部と、前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御部とを備える。
【発明の効果】
【０００７】
本出願の発明により、視聴者は、より容易に映像の被写体に関する情報を取得することができる。
【図面の簡単な説明】
【０００８】
【図１】図１は、実施の形態１における情報表示システムのシステム構成の例を示す図である。
【図２】図２は、実施の形態１における情報表示装置のハードウェア構成の例を示す図である。
【図３Ａ】図３Ａは、実施の形態１における情報表示装置の機能構成の例を示す図である。
【図３Ｂ】図３Ｂは、実施の形態１における情報表示装置の機能構成の他の例を示す図である。
【図４】図４は、実施の形態１における番組特定情報の例を示す図である。
【図５】図５は、実施の形態１における関連情報の例を示す図である。
【図６】図６は、情報表示装置の表示領域の分割の例を示す図である。
【図７】図７は、実施の形態１における関連情報を取得及び表示する処理の例を示すフローチャートである。
【図８】図８は、実施の形態１における取得した関連情報から表示制御を行う処理の例を示すフローチャートである。
【図９】図９は、実施の形態１における表示管理テーブルの例を示す図である。
【図１０】図１０は、表示管理テーブルに基づいて、情報表示処理装置が表示する関連情報の表示内容を更新する処理の例を示すフローチャートである。
【図１１】図１１は、表示管理テーブルの更新の説明図である。
【図１２】図１２は、映像表示装置の表示内容と情報表示装置の表示内容との更新の説明図である。
【図１３】図１３は、実施の形態２における関連情報の例を示す図である。
【図１４】図１４は、実施の形態３における情報表示装置の表示領域の分割の例を示す図である。
【図１５】図１５は、その他の実施の形態における情報システムのシステム構成の例を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって請求の範囲に記載の主題を限定することを意図するものではない。
【００１１】
まず、本開示により解決される課題について詳細に説明する。
【００１２】
特許文献１に開示される技術を用いれば、視聴者は、映像番組における映像中の興味のある被写体を特定することで、その被写体に関する情報を閲覧することができる。しかし、特許文献１に開示された技術では、映像とその関連する情報とが同一の装置に表示される。よって、視聴者は、同一表示面で、映像と関連する情報とを一緒に視聴することになる。
【００１３】
一方、映像番組を表示する映像表示装置と、情報を表示する情報表示装置とが異なる装置である場合、視聴者は、映像表示装置と情報表示装置との両者の表示面を見る必要がある。この際、情報表示装置に複数の情報が一度に表示されている場合に、視聴者は、いずれの情報が、視聴者が求める情報であるかを特定する必要がある。そのため、視聴者は、映像表示装置と情報表示装置とのそれぞれの表示面を見るとともに、情報表示装置の表示面に表示されている複数の情報から特定の情報を短時間に探す作業を行わなければならない。この作業は、映像表示装置の映像を視聴したいと考える視聴者にとって、大きな負担となる可能性がある。
【００１４】
本出願の発明の目的は、映像の被写体に関する情報の容易な取得を可能とする情報表示装置を提供することである。
【００１５】
上記の目的を達成するために、本開示の情報表示装置は、前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得部と、前記関連情報取得部が取得した前記関連情報に含まれる前記オブジェクト情報を表示する表示部と、前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御部とを備える。
【００１６】
これによれば、映像の視聴者は、映像表示装置の映像表示面に表示されているオブジェクトに関連する関連情報を、情報表示装置から得ることができる。その際、表示される関連情報の表示部（表示画面）上の位置は、オブジェクトの映像表示面上の位置に対応した位置となる。そのため、視聴者は、複数の位置に情報が表示されうる表示部において、オブジェクトの映像表示面上の位置に対応した箇所を見ることで、容易に当該オブジェクトの関連情報を見つけることができる。よって、映像の被写体に関する情報の容易な取得が可能となる。
【００１７】
例えば、前記表示制御部は、前記映像表示面上の位置ごとに対応させて定められた前記表示部上の位置のうち、前記第一位置に対応する位置である前記第二位置に前記オブジェクト情報を表示するように、前記表示部を制御する。
【００１８】
これによれば、情報表示装置の表示部において、映像表示装置に表示されたオブジェクトの関連情報が表示される箇所の候補が、所定数の箇所に絞り込まれる。視聴者は、その複数の箇所のいずれかを見ることで、関連情報をさらに容易に発見することができる。さらに、表示部上の箇所であって視聴者が閲覧しにくい箇所（例えば、表示部内の端の位置）を、その候補から除外しておくことにより、関連情報が表示されうる箇所を、視聴者が発見及び閲覧しやすい箇所に絞ることができる。よって、映像の被写体に関する情報のより容易な取得が可能となる。
【００１９】
例えば、前記関連情報取得部は、前記映像表示面を構成する複数の表示面領域のうち、前記オブジェクトが表示されている表示面領域を示す前記第一位置を取得し、前記表示制御部は、前記複数の表示面領域のそれぞれに位置が対応するように定められた前記表示部の複数の領域のうち、前記第一位置に対応する領域の内部の前記第二位置に前記オブジェクト情報を表示するように、前記表示部を制御する。
【００２０】
これによれば、情報表示装置の表示部において、映像表示装置に表示されたオブジェクトの関連情報が表示される箇所の候補が、所定数の箇所に絞り込まれる。しかも、映像表示装置の表示面を構成する複数の領域（表示面領域）ごとに、その領域に表示されるオブジェクトの関連情報が表示される情報表示装置上の領域が定められている。視聴者は、映像表示面上でオブジェクトが属している表示面領域を把握し、その領域に対応する表示部上の領域を見ることで、関連情報をさらに容易に発見することができる。よって、映像の被写体に関する情報のより容易な取得が可能となる。
【００２１】
例えば、前記表示制御部は、前記第二位置を基準として、前記関連情報取得部が取得した前記関連情報に含まれる前記オブジェクト情報の種別に対応して定められた相対位置を加算した位置を新たな前記第二位置とし、新たな前記第二位置に前記オブジェクト情報を表示するように、前記表示部を制御する。
【００２２】
これによれば、情報表示装置は、オブジェクトのタイトル又は詳細情報のような情報の種別に対応して、表示部に表示される関連情報の位置を変更することにより、情報の種別に応じて関連情報の表示箇所を調整することができる。例えば、関連情報の表示の上部にはタイトルが表示されるようにすることができる。視聴者は、オブジェクトの関連情報を探す際に、情報の種別に応じて定まる表示部上の場所を見ることで、さらに容易に目的にオブジェクトに関する情報を取得することができる。例えば、視聴者が、オブジェクトのタイトルから関連情報を探したい時には、表示部の上部を見ることで容易に発見することができる。よって、映像の被写体に関する情報のより容易な取得が可能となる。
【００２３】
例えば、前記関連情報取得部は、前記映像表示面における前記オブジェクトの表示の開始又は移動があるとき、前記開始後又は前記移動後の前記第一位置を含む前記関連情報を取得し、前記表示制御部は、前記オブジェクトの表示の開始又は移動に連動して、前記開始後又は前記移動後の前記第一位置に対応する前記表示部上の第二位置に、前記オブジェクト情報の表示を開始又は移動させるように、前記表示部を制御する。
【００２４】
これによれば、情報表示装置は、映像表示面上の表示の変化に追随して、映像表示面に表示されているオブジェクトの関連情報を表示する。よって、映像の被写体に関する情報のより容易な取得が可能となる。
【００２５】
例えば、前記関連情報取得部は、前記映像表示装置が表示する映像のシーンに対応して定められる領域パターンと、前記領域パターンに従って定められる前記複数の表示面領域のうち、前記オブジェクトが表示されている表示面領域を示す前記第一位置とを取得し、前記表示制御部は、前記領域パターンに従って前記表示部に設定される複数の領域のうち、前記第一位置に対応する領域の内部の前記第二位置に前記オブジェクト情報を表示するように、前記表示部を制御する。
【００２６】
これによれば、映像表示装置が表示する映像のシーンに対応して、映像表示装置の表示面領域のパターンが変更され、それにともなって、視聴者が関連情報を得やすいように、情報表示装置の表示部の領域パターンも変更される。例えば、映像の動きが激しいシーンでは、表示面領域の数を減らすことで、視聴者が関連情報を得やすくなる。よって、映像の被写体に関する情報のより容易な取得が可能となる。
【００２７】
例えば、前記表示制御部は、同一の前記第二位置に複数の前記オブジェクト情報を表示するように前記表示部を制御する際には、複数の前記オブジェクト情報のうち、作成されてからの時間がより短いほうの前記オブジェクト情報を表示するように、前記表示部を制御する。
【００２８】
これによれば、情報表示装置の表示面積が限られている場合に、複数の関連情報のうち、より新しい情報を表示することができる。よって、映像のより新しい被写体に関する情報の容易な取得が可能となる。
【００２９】
例えば、前記表示制御部は、前記映像表示面における前記第一位置の相対位置と、前記表示部における前記第二位置の相対位置とが等しくなるように前記第二位置を決定し、前記表示部上の第二位置に前記オブジェクト情報を表示するように、前記表示部を制御する。
【００３０】
これによれば、映像表示装置上のオブジェクトの相対位置と、情報表示装置の表示部上の関連情報の相対位置とが等しくなる。視聴者は、映像表示装置の表示面上のオブジェクトの相対位置と同じ、情報表示装置の表示部上の位置を参照することで、オブジェクトの関連情報を見つけることができる。よって、映像の被写体に関する情報の容易な取得が可能となる。
【００３１】
例えば、前記関連情報取得部は、さらに、前記オブジェクトが前記映像表示面に表示される期間を示す表示期間を取得し、前記表示制御部は、現在時刻が、前記関連情報取得部が取得した前記表示期間内であるか否かを判定し、現在時刻が前記表示期間内であると判定した場合に、前記表示部上の第二位置に前記オブジェクト情報を表示するように、前記表示部を制御する。
【００３２】
これによれば、映像表示装置上にオブジェクトが表示されている時に、リアルタイムにそのオブジェクトに関連する情報を表示することができる。
【００３３】
例えば、前記関連情報取得部は、前記オブジェクト情報として、前記オブジェクトのタイトル、詳細情報、及び、代表画像のうちの少なくとも１つを含む前記関連情報を取得する。
【００３４】
これによれば、視聴者は、オブジェクトの関連情報として、タイトル、詳細情報、及び、代表画像のうちの少なくとも１つを得ることができる。
【００３５】
例えば、前記関連情報取得部における前記表示面領域の数は４であり、前記表示制御部における前記表示部に定められる前記複数の領域の数は４である。
【００３６】
これによれば、視聴者は、映像表示装置の表示面を４分割した表示面領域におけるオブジェクトの関連情報を、情報表示装置から取得することができる。
【００３７】
（実施の形態１）
本実施の形態において、映像表示装置に表示されるオブジェクトの関連情報を、視聴者がより容易に映像の被写体に関する情報を取得することができるように、情報表示装置に表示する例について説明する。具体的には、映像表示装置に表示されるオブジェクトの表示に連動して、映像表示装置上のオブジェクトの表示位置に関連した位置に関連情報を表示する例について説明する。なお、オブジェクトの表示に連動する、とは、映像表示面上でのオブジェクトの移動、大きさ若しくは形状の変化、出現、又は、消滅などのことを意味する。
【００３８】
図１〜図１２を用いて、本実施の形態について説明する。
【００３９】
［１−１．構成］
図１は、本実施の形態における情報表示システム１００のシステム構成の例を示す図である。情報表示システム１００は、放送局１１０、映像表示装置（ＴＶ）１２０、データベース（ＤＢ）１３０、配信サーバ１６０、及び、情報表示装置１７０を有する。
【００４０】
放送局１１０は、映像番組を放送波で放送する。なお、放送局１１０は、無線を用いた放送波だけでなく、ケーブルＴＶのような有線による放送、インターネット回線を利用した映像の配信を行うものであってもよい。放送局１１０は、映像番組を配信するものであればよく、その配信形態は限定されない。
【００４１】
映像表示装置１２０は、放送局１１０から配信された映像番組を表示する。映像表示装置１２０の例は、ＴＶ（Ｔｅｌｅｖｉｓｉｏｎ）装置である。映像表示装置１２０は、受信した映像信号を、映像として表示する。視聴者は、映像表示装置１２０に表示された映像を閲覧する。また、映像表示装置１２０は、受信した映像信号を蓄積し、蓄積した映像信号を表示してもよい。
【００４２】
データベース（ＤＢ）１３０は、放送局１１０から配信される映像番組に関する情報を記録、又は、保持等する。データベース１３０へ記録される映像番組に関する情報は、メタ事業者のような専門業者１４０により入力される情報であってもよいし、一般ユーザ１５０により入力される情報であってもよい。また、データベース１３０には、放送局１１０からリアルタイムに放送されている映像番組に関する情報だけでなく、過去に放送又は配信等された映像番組に関する情報を記録、又は、保持してもよい。
【００４３】
配信サーバ１６０は、後述する情報表示装置１７０からの要求により、映像番組に関する情報を、データベース１３０から取得し、情報表示装置１７０へ送信する。配信サーバ１６０は、例えば、インターネット等上に公開されているサーバで不特定多数、又は、特定多数の人がアクセスできるサーバであってもよい。
【００４４】
情報表示装置１７０は、映像表示装置１２０が表示する映像番組と連携した情報、又は当該映像番組に関連した情報を、配信サーバ１６０を経由してデータベース１３０から取得し、取得した情報を表示する。視聴者は、映像番組視聴時に、映像表示装置１２０に表示される映像を視聴しながら、情報表示装置１７０に表示される情報を閲覧する。なお、情報表示装置１７０は、映像表示装置１２０の視聴者が映像番組視聴時に、自身の側に置いておいたり、携帯したりする装置として実現されてもよい。情報表示装置１７０の例は、タブレット端末、つまり、タブレット型の情報処理装置又は表示装置等である。
【００４５】
視聴者は、映像表示装置１２０の映像番組を視聴しながら、映像番組内で示された興味のある被写体等についての情報を、情報表示装置１７０により取得し、表示する。そして、視聴者は、映像表示装置１２０が表示する映像と、その映像に関連する情報との両者を実質的に同時に視聴及び閲覧する。これにより、視聴者は、放送局等から提供される映像番組を見るだけではなく、映像番組で映し出される被写体、又は、映像番組と関連の深い内容について情報を収集又は閲覧等することができる。つまり、視聴者は、従来では映像番組を視聴するだけであったが、本開示の情報表示装置によれば、映像番組の視聴だけでなく、その映像番組に関連する情報の収集をも行うことができる。よって、視聴者は、より幅広い情報を享受することができる。なお、被写体とは、映像において表示されるオブジェクトのことである。オブジェクトとは、映像において表示され、視聴者の注目の対象となりうる対象物のことであり、具体的には、人物、動物、物、建造物、自然物、文字、記号、又は、図形などのことである。
【００４６】
図２は、本実施の形態における情報表示装置１７０のハードウェア構成の例を示す図である。情報表示装置１７０は、ＣＰＵ２００、ＲＯＭ２０１、ＲＡＭ２０２、無線ＬＡＮアンテナ２０３、ネットワークコントローラ２０４、タッチパネルコントローラ２０５、ユーザ入力検出センサ２０６、ディスプレイコントローラ２０７、ディスプレイ２０８、音声出力コントローラ２０９、スピーカ２１０、音声入力コントローラ２１１、及び、マイク２１２を有する。
【００４７】
ＣＰＵ２００は、演算処理装置であって、情報表示装置１７０全体を制御する。
【００４８】
ＲＯＭ２０１は、情報表示装置１７０の各種動作に必要な情報を保持する。ＲＯＭ２０１は、ＣＰＵ２００で実行されるソフトウェアプログラムや、ソフトウェアプログラムの動作を決定する各種パラメータ等を保存する。
【００４９】
ＲＡＭ２０２は、情報表示装置１７０の各種動作に必要な情報を一時的に、又は、永続的に保持する。ＲＡＭ２０２は、ＣＰＵ２００がソフトウェアプログラムを実行する際に必要な各種の変数、及び、ＣＰＵ２００が各種コントローラを制御する際の制御データを一時的に、又は、永続的に保存する。
【００５０】
無線ＬＡＮアンテナ２０３は、情報表示装置１７０が外部と無線ＬＡＮ（Local area network）通信を行う際の無線電波を送受信するアンテナである。なお、無線ＬＡＮ通信の通信規格の例は、ＩＥＥＥ８０２．１１規格である。その他の無線通信規格（例えば、Ｂｌｕｅｔｏｏｔｈ（登録商標）等）を用いることも可能である。
【００５１】
ネットワークコントローラ２０４は、情報表示装置１７０が無線ＬＡＮアンテナ２０３を用いて外部と情報の送受信を行う場合に、データ送受信処理を制御する。
【００５２】
タッチパネルコントローラ２０５は、ユーザ入力検出センサ２０６を制御し、ユーザ入力検出センサ２０６からの検出信号を入力信号としてＣＰＵ２００等へ伝える。
【００５３】
ユーザ入力検出センサ２０６は、情報表示装置１７０の利用者（映像表示装置１２０の視聴者）からの入力を検出するセンサである。具体的なデバイスの例は、タッチパネルなどである。
【００５４】
ディスプレイコントローラ２０７は、情報を含んだ画像・映像信号をＣＰＵ２００等から受信し、ディスプレイ２０８へ表示するための制御を行う。
【００５５】
ディスプレイ２０８は、ディスプレイコントローラ２０７の制御により、各種の情報を含んだ画像又は映像を表示する。
【００５６】
音声出力コントローラ２０９は、ＣＰＵ２００等からデジタルの音声出力信号を受信し、アナログ信号へ変換してスピーカ２１０へ出力する。
【００５７】
スピーカ２１０は、音声出力コントローラ２０９からのアナログ音声信号を音声として出力する。
【００５８】
音声入力コントローラ２１１は、マイク２１２から入力される音声アナログ信号をデジタル音声信号等に変換してＣＰＵ２００等へ出力する。
【００５９】
マイク２１２は、情報表示装置１７０の周辺音を収音し、収音された音をアナログ電気信号に変換する。
【００６０】
図３Ａは、本実施の形態における情報表示装置１７０の機能構成の例を示す図である。情報表示装置１７０は、音声入力部３００、ユーザ入力検出部３０１、タイマー部３０２、入力制御部３０３、番組特定部３０４、通信部３０５、関連情報取得部３０６、関連情報表示制御部３０７、関連情報蓄積部３０８、及び、表示部３０９を有する。
【００６１】
音声入力部３００は、情報表示装置１７０の周辺音を収音する。音声入力部３００は、図２のハードウェア構成においてマイク２１２に相当する。
【００６２】
ユーザ入力検出部３０１は、情報表示装置１７０の利用者からの入力を受け付ける。ユーザ入力検出部３０１の例は、タッチパネルである。ユーザ入力検出部３０１は、図２のハードウェア構成においてユーザ入力検出センサ２０６に相当する。
【００６３】
タイマー部３０２は、時間を計測する。タイマー部３０２の例は、発振子等をベースに時間を計測するクロックモジュールである。
【００６４】
入力制御部３０３は、音声入力部３００又はユーザ入力検出部３０１からの入力信号を、適切な情報信号に変換する。例えば、各種センサ等からの入力アナログ信号を、情報処理しやすいデジタル信号に変換する。入力制御部３０３は、図２のハードウェア構成において、タッチパネルコントローラ２０５又は音声入力コントローラ２１１等に該当する。
【００６５】
番組特定部３０４は、入力制御部３０３を介して音声入力部３００から入力された音声信号に基づいて、映像表示装置１２０が表示している映像を特定するための情報（音声識別情報）を生成する。情報表示装置１７０は、映像表示装置１２０の映像の視聴者が携帯している、又は、その近辺に置かれている。情報表示装置１７０は、映像表示装置１２０が表示等している映像番組の音声を音声入力部３００により取得する。音声入力部３００からの音声信号は、入力制御部３０３を介して番組特定部３０４に入力される。
【００６６】
番組特定部３０４は、入力される音声信号、つまり、その時点で映像表示装置１２０が表示している映像番組の音声から、その音声の特徴となる情報を抽出する。音声の特徴となる情報とは、例えば、周波数分布、周波数毎のレベル、又は、特定の周波数帯域の音声信号のみを抽出した信号などであり、音声の特徴を特定できるものであればどんなものであってもよい。なお、上記のように音声の特徴となる情報を抽出する処理は必須ではない。つまり、音入力される音声信号をそのまま出力するものであってもよい。音入力される音声信号をそのまま出力する場合は、後段の通信部３０５による通信量が増加する。音声の特徴となる情報を算出することで、このような通信量の増加を抑制することができる。番組特定部３０４は、このように抽出された音声の特徴となる情報に対して所定の演算処理を施し、入力された音声信号の音声識別情報を生成する。
【００６７】
番組特定部３０４は、さらに生成した音声識別情報を、後述する通信部３０５を用いて配信サーバ１６０へ送信する。番組特定部３０４は、音声識別情報を送信したことに対する返信として、配信サーバ１６０から、上記の音声信号に対応する映像番組を特定するための情報（番組特定情報）を受信する。
【００６８】
通信部３０５は、番組特定部３０４が生成した音声識別情報を配信サーバ１６０へ送信する。
【００６９】
配信サーバ１６０は、データベース１３０の情報に基づいて、情報表示装置１７０から受信した音声識別情報から映像表示装置１２０が表示している映像番組を特定する。なお、配信サーバ１６０は、さらに、その音声取得時の映像番組内での映像表示位置（映像シーン）をも特定するようにしてもよい。
【００７０】
配信サーバ１６０は、特定した映像番組に関する情報（番組特定情報）を、情報表示装置１７０へ送信する。通信部３０５は、この映像番組に関する情報を受信する。通信部３０５は、この番組特定情報にもとづいて、データベース１３０から、映像表示装置１２０が表示している映像シーンに含まれる被写体に関する関連情報（映像番組の映像シーンに対応する関連情報）を、配信サーバ１６０等から取得する。通信部３０５は、図２の構成において、無線ＬＡＮアンテナ２０３及びネットワークコントローラ２０４に該当する。
【００７１】
関連情報取得部３０６は、通信部３０５が配信サーバ１６０から受信した情報から、映像番組の映像シーンに対応する関連情報を取得する。なお、関連情報取得部３０６は、取得した関連情報を関連情報蓄積部３０８に蓄積するようにしてもよい。
【００７２】
関連情報表示制御部３０７は、関連情報取得部３０６が取得した関連情報、又は、関連情報取得部３０６が取得して関連情報蓄積部３０８に蓄積した関連情報を利用して関連情報に含まれる表示対象となる情報を表示部３０９へ出力する。また、関連情報表示制御部３０７は、表示部３０９へ表示する関連情報の更新等に、タイマー部３０２から入力される計時情報を用いてもよい。なお、関連情報表示制御部３０７が、実際に関連情報等を表示部３０９へ表示する際の表示位置等の制御については、後述する。なお、関連情報表示制御部３０７は、表示制御部３０７Ａに相当する。
【００７３】
番組特定部３０４、関連情報取得部３０６、及び、関連情報表示制御部３０７のそれぞれは、図２において、ＣＰＵ２００で処理されるソフトウェアプログラムに該当する。
【００７４】
関連情報蓄積部３０８は、関連情報取得部３０６が取得した関連情報を記録及び保持する。関連情報蓄積部３０８は、図２の構成において、ＲＯＭ２０１又はＲＡＭ２０２に該当する。
【００７５】
表示部３０９は、関連情報表示制御部３０７の制御内容に従って、関連情報を表示する。表示部３０９は、図２の構成において、ディスプレイコントローラ２０７及びディスプレイ２０８に該当する。
【００７６】
以上の機能構成により、情報表示装置１７０は、映像表示装置１２０の視聴者が視聴している映像番組を特定する音声識別情報を番組特定部３０４により生成し、配信サーバ１６０へ送信する。その後、通信部３０５は、配信サーバ１６０から送信される関連情報を取得する。情報表示装置１７０は、この関連情報に従って、映像表示装置１２０の映像番組と関連性のある情報を表示部３０９に表示する。これにより、視聴者は、映像表示装置１２０が表示している映像番組と、その映像番組に関連する情報との両者を享受できる。
【００７７】
図４は、映像番組を特定する番組特定情報の例を示す図である。図４に示される番組特定情報４０１は、「番組名」、「放送エリア情報」、「放送日時」、「番組ジャンル」、及び、「キーワード」を含む。
【００７８】
「番組名」は、放送される映像番組の名称又はタイトル等を示す情報である。「放送エリア情報」は、映像番組が電波による放送、又はケーブルＴＶ等による配信の場合、実際にその映像番組が配信される地域を特定するための情報である。「放送日時」は、当該番組が放送又は配信等される時刻情報を示すものであり、「放送日」、「放送開始時刻」、「放送終了時刻」の情報を有する。「番組ジャンル」は、映像番組のカテゴリーをしめすものであり、それぞれの番組内容に従って、所定の分類項目のいずれに該当するかを示す情報である。「キーワード」は、映像番組の内容等で特徴的な部分を、単語で示したものである。
【００７９】
図５は、配信サーバ１６０から返信される関連情報の例を示す図である。図５に示される関連情報５０１は、「ＩＤ」、「表示位置」、「表示期間」、及び、「表示情報」を含む。また、「表示期間」には、「開始時刻」と「終了時刻」とが含まれている。表示情報には、「タイトル」、「詳細情報」、又は、「代表画像」が、情報として含まれている。なお、１つの被写体に対して１つの関連情報が対応するようにすることで、情報表示装置１７０は、被写体に対応する関連情報を、視聴者に分かりやすく提示することができる。
【００８０】
「ＩＤ」は、当該関連情報を識別するための情報である。好ましくは、ＩＤは他のすべての関連情報と識別できるように、一意に決まる情報であることが好ましい。
【００８１】
「表示位置」は、映像表示装置１２０が、本関連情報に対応する被写体を映像表示装置１２０の表示面上のどこに表示しているかの位置情報を示す。位置情報は、例えば、表示面における位置座標で示される。より具体的には、例えばＨＤＴＶ（Ｈｉｇｈ  Ｄｅｆｉｎｉｔｉｏｎ  ＴＶ）の１９２０×１０８０の解像度を有する映像番組の場合に、この表示面上の位置座標（例えば、（４８０，２７０）等）となる。また、位置情報は、例えば、映像表示装置１２０の映像表示面を複数の領域（例えば、左上、右上、左下、及び、右下）に分割する場合に、その領域を示す情報（例えば、左上）であってもよい。「表示位置」は、第一位置に相当する。
【００８２】
「表示期間」は、本関連情報に該当する映像番組の被写体が、映像表示装置１２０の表示面に表示されている期間を示す情報である。表示期間の開始時刻及び終了時刻は、例えば、映像番組開始時からの相対時間で示されるものであってもよいし、映像番組開始時からのフレーム枚数等で特定されるものであってもよい。
【００８３】
「表示情報」は、本関連情報に該当する映像番組に含まれる被写体に関する情報を示す。「タイトル」は、この被写体の情報に対するタイトルである。タイトルの例は、被写体の名称、被写体の俗称、その他被写体から連想される文字列などである。「詳細情報」は、この被写体に関する詳細な情報を示す。詳細情報の例は、被写体の詳細を説明する文字列若しくは文章、被写体の詳細を説明したインターネット上のＵＲＬ若しくはＩＰアドレス等の位置を示す情報、又は、被写体と関連の深いＵＲＬ（被写体が人物である場合に、その人物が管理等するブログ、Ｔｗｉｔｔｅｒ、若しくは、Ｆａｃｅｂｏｏｋ等を示すＵＲＬ）である。「代表画像」は、被写体の外観等を示す画像である。代表画像の例は、被写体が人物である場合はその人物写真の画像データ、物品等である場合はその物品の画像データである。また、代表画像は、これら以外にも、被写体の特徴を示す別の画像データが含まれるものでもよい。
【００８４】
情報表示装置１７０は、図５に示すような関連情報を配信サーバ１６０から受信することにより、関連情報に含まれる表示情報（タイトル、詳細情報、又は、代表画像）を、表示位置及び表示期間の情報に基づいて好適に表示部３０９に表示する。
【００８５】
なお、図５は関連情報の一例を示す図であり、本開示における関連情報は、図５に示される関連情報５０１に限定されない。図５に示す関連情報５０１以外にも、関連情報は、映像表示装置１２０が表示する映像番組の映像に含まれる被写体等の表示情報、及び、それらを表示制御するための情報を含むものであってもよい。
【００８６】
図６は、情報表示装置の表示領域の分割の例を示す図である。すなわち、図６は、情報表示装置１７０が、関連情報に含まれる情報を表示する表示領域の位置を示す図である。関連情報表示制御部３０７は、関連情報に含まれる表示位置（第一位置）の情報に基づいて、表示情報を表示部３０９のどの部分に表示するかを決定する。表示部３０９において、表示情報が表示される位置は、第二位置に相当する。本実施の形態では、表示部３０９の表示面を、図６に示すように論理的に４つの領域、左上領域６０１、右上領域６０２、左下領域６０３、及び、右下領域６０４に分割する。
【００８７】
なお、表示部３０９の表示領域を論理的に分割する際の分割数は、４に限られず、２以上の任意の数であってよい。また、分割パターンについては、図６に示されるような、縦方向に２分割、横方向に２分割するパターンに限られず、任意のパターンであってよい。例えば、分割数が４の場合、縦方向に４分割、横方向には分割しない、というパターンであってもよい。
【００８８】
なお、表示部３０９の表示領域を論理的に分割するのではなく、映像表示装置の映像表示面の位置ごとに、表示部３０９上の位置を対応させて定めておき、関連情報に含まれる表示位置の情報に基づいて、表示情報を表示部３０９のどの位置に表示するかを決定するようにしてもよい。
【００８９】
さらに、表示部３０９上の位置を定める際に、表示部３０９の端部を含まない領域の仲から定めるようにしてもよい。
【００９０】
以下では、表示部３０９を、左上領域６０１、右上領域６０２、左下領域６０３、及び、右下領域６０４の４領域に分割する場合について説明する。
【００９１】
関連情報表示制御部３０７は、関連情報に含まれる表示位置に従って、それぞれの表示情報を図６に示される４つの領域のいずれの領域に表示情報を表示するかを決定する。
【００９２】
具体的には、表示位置の情報が、（ｘ，ｙ）のように座標情報で示されている場合、画面横方向の位置を示すｘの値に基づいて、左上領域６０１及び左下領域６０３を含む画面左領域と、右上領域６０２及び右下領域６０４を含む画面右領域のいずれに属するかを決定する。ｘの取り得る範囲が、０≦ｘ≦１９２０の場合において、ｘの実際の値が、０≦ｘ≦９６０の範囲の場合には、表示情報の表示位置を画面左領域（６０１及び６０３のいずれか）と決定する。ｘの実際の値が、９６０＜ｘ≦１９２０の範囲の場合には、表示情報の表示位置を画面右領域（６０２及び６０４のいずれか）と決定する。
【００９３】
同様に、ｙの取り得る範囲が、０≦ｙ≦１０８０の場合では、ｙの実際の値が０≦ｙ≦５４０の範囲の場合に、表示情報の表示位置を画面上領域（６０１及び６０２のいずれか）と決定する。反対に、ｙの実際の値が５４０＜ｙ≦１０８０の範囲の場合に、表示情報の表示位置を画面下領域（６０３及び６０４のいずれか）と決定する。
【００９４】
関連情報表示制御部３０７は、このように関連情報に含まれる表示位置の情報に基づいて、表示する情報の位置を表示部３０９のどこに表示するかを決定する。より具体的には、関連情報表示制御部３０７は、関連情報に含まれる表示位置の情報に従って、当該関連情報が表示する情報を、表示部３０９のあらかじめ論理的に分割した所定領域のいずれの領域に表示するかを決定する。関連情報に含まれる表示位置の情報は、当該関連情報に対応する被写体が映像表示装置１２０の表示面内において表示されている位置と関連づけられている。そのため、情報表示装置１７０の利用者は、視聴している映像表示装置１２０の映像面（表示面）に興味のある被写体が表示されると、映像面内での当該被写体の位置に応じて、それに関連する情報が、情報表示装置１７０の表示部３０９の対応する領域に表示される。例えば、映像表示装置において左上領域に表示されているオブジェクトの関連情報は、表示部３０９の左上領域に表示される。
【００９５】
その結果、情報表示装置１７０の利用者は、映像表示装置１２０と情報表示装置１７０との両装置を使用している場合においても、情報表示装置１７０の表示部から求める表示情報（関連情報）を比較的容易に見つけることができる。
【００９６】
上記のような制御により、映像表示装置１２０において被写体が表示されている表示位置に対応するように、表示部３０９における表示位置に、関連情報を表示することができる。
【００９７】
さらに、情報表示装置１７０は、表示部３０９の表示面を図６に示すように、論理的に分割したいずれかの領域に情報を表示する。情報表示装置１７０の利用者は、表示される情報があらかじめ分割された領域のいずれかに表示されることがわかっているので、探索するのは、この４カ所の領域から求める情報を探索すればよい。さらに、いずれの領域に求める情報が表示されるかは、映像表示装置上で被写体が表示された位置情報に基づいて、決定されるため、４つの領域のうちから、最も被写体が映し出された領域に近い領域に求める情報が表示される。そのため、視聴者は、実際には特定の領域（被写体の映し出される位置と最も近い領域）について情報を探索すればよいことになる。
【００９８】
なお、本実施の形態の情報表示装置１７０は、表示部３０９での論理的な領域分割により、関連情報に含まれる表示位置で示される位置の解像度よりも、表示部３０９における表示位置の解像度を粗くするように、座標変換を行う、ともいえる。情報表示装置１７０の利用者は、情報をより簡単に見つけ出すことを重要視するのであって、その情報が表示される表示位置の精度にはそれほど関心がないと考えられるため、このような座標変換が許容される。
【００９９】
以上より、関連情報表示制御部３０７は、関連情報に含まれる表示位置の情報に従って、表示部３０９の表示面を論理的に分割した領域のいずれの領域に、関連情報の表示情報を表示するかを決定することで、より情報表示装置１７０の利用者に、表示する情報をより見易くすることができる。
【０１００】
［１−２．動作］
図７は、本実施の形態における関連情報を取得及び表示する処理の例を示すフローチャートである。
【０１０１】
（ステップＳ７０１）番組特定部３０４は、音声入力部３００及び入力制御部３０３より入力される音声信号から、音声の特徴を抽出し、その音声信号固有の識別情報を生成する。より具体的には、例えば、入力される所定期間の音声デジタル情報（信号）の特徴部分に、特定のハッシュ関数を施す処理を行う。このハッシュ関数処理により算出されるハッシュ値が入力される音声信号の識別情報となる。なお、本実施の形態で説明する識別情報の生成は、この方法に限らず他の方法を用いてもよい。例えば、入力される音声デジタル情報全体に、ハッシュ関数を施す方法であってもよい。また、ハッシュ関数の代わりに、音声信号などを数値に変換することができる任意の関数を用いてもよい。
【０１０２】
番組特定部３０４は、この音声信号固有の識別情報を、通信部３０５を用いて配信サーバ１６０へ送信する。番組特定部３０４は、この送信に対する返信として、配信サーバ１６０から、通信部３０５により、当該音声に対応する映像番組の情報（番組特定情報）を取得する。番組特定部３０４は、取得した番組特定情報を関連情報蓄積部３０８へ記録する。
【０１０３】
（ステップＳ７０２）関連情報表示制御部３０７は、番組特定情報に基づいて、映像表示装置１２０で表示されている映像番組の関連情報を取得するように、関連情報取得部３０６へ指示する。関連情報取得部３０６は、関連情報表示制御部３０７から送られてきた番組の情報にもとづいて、当該番組に対応する関連情報を通信部３０５を用いて配信サーバ１６０へ要求する。関連情報取得部３０６は、配信サーバ１６０から要求した関連情報を受信すると、関連情報蓄積部３０８へ記録する。
【０１０４】
（ステップＳ７０３）関連情報表示制御部３０７は、関連情報蓄積部３０８に記録された映像番組の関連情報を、表示部３０９へ表示するための制御を行う。関連情報表示制御部３０７の具体的な表示制御内容については、後述する。
【０１０５】
（ステップＳ７０４）関連情報表示制御部３０７は、上記で取得した番組特定情報と、タイマー部３０２が出力する時刻情報等とを比較して、映像表示装置１２０が表示している映像番組が終了したか否かを判定する。終了する場合、もしくは、既に終了している場合には、処理を終了する。反対に、比較の結果、映像番組が継続していると判定される場合には、関連情報表示制御部３０７は、ステップＳ７０２に処理を戻し、関連情報の更新取得処理、表示制御等を行う。
【０１０６】
図８は、本実施の形態における取得した関連情報から表示制御を行う処理の例を示すフローチャートである。すなわち、図８は、関連情報表示制御部３０７が、関連情報蓄積部３０８に記録及び保持された関連情報に基づいて表示部３０９の表示制御を行う処理の例を示すフローチャートである。このフローチャートは、上述の図７のフローチャートにおけるステップＳ７０３の処理をより詳細に説明するものである。
【０１０７】
番組特定部３０４が、ステップＳ７０１において、映像表示装置１２０が表示している映像番組に対する映像番組特定情報を取得すると、関連情報表示制御部３０７は、本フローチャートの処理を開始する。
【０１０８】
（ステップＳ８０１）関連情報表示制御部３０７は、関連情報蓄積部３０８から、関連情報を読み出す。読み出した関連情報に含まれる表示期間の開始時刻及び終了時刻と、タイマー部３０２から取得した現在時刻の情報とを比較する。比較の結果、現在時刻が表示期間内に含まれると判定される場合（ステップＳ８０１でＹｅｓ）は、処理をステップＳ８０２へ移す。反対に、当該関連情報について、現在時刻情報が表示期間内に含まれないと判定される場合（ステップＳ８０１でＮｏ）は、処理をステップＳ８０５へ移す。
【０１０９】
（ステップＳ８０２）関連情報表示制御部３０７は、関連情報に含まれるＩＤに基づいて当該関連情報が既に登録済か否かを判定する。関連情報表示制御部３０７は、該当する関連情報のＩＤと、表示管理テーブルに記録済のＩＤとを比較して判定する。
【０１１０】
図９は、本実施の形態における表示管理テーブルの例を示す図である。表示管理テーブル９０１は、関連情報蓄積部３０８等に、関連情報とともに記録及び保持されている。表示管理テーブル９０１は、「表示領域」、「表示中関連情報」、及び、「一覧表示リスト」の項目を有する。表示管理テーブル９０１は、これらの管理項目を、図６で示した表示部３０９の分割した表示領域ごとに管理する。図９では表示領域として「左上（領域）」、「右上（領域）」、「左下（領域）」、「右下（領域）」の表示領域が示されている。後述するステップＳ８０３において、関連情報表示制御部３０７が、新たな関連情報に含まれる表示情報を表示部３０９に表示すると、関連情報表示制御部３０７は、該当の関連情報のＩＤを、表示管理テーブルの「表示中関連情報」の項目に記録する。
【０１１１】
関連情報に含まれるＩＤが登録済か否か、とは、言い換えれば、該当の関連情報に含まれる表示情報が表示部３０９に既に表示されているか否か、ということである。関連情報表示制御部３０７は、該当の関連情報がすでに表示済である場合（ステップＳ８０２でＮｏ）は、関連情報の表示を継続させたまま、ステップＳ８０４へ処理を移す。反対に該当の関連情報がまだ表示されていない場合（ステップＳ８０２でＹｅｓ）は、関連情報表示制御部３０７は、ステップＳ８０３へ制御を移す。
【０１１２】
（ステップＳ８０３）関連情報表示制御部３０７は、該当の関連情報に含まれる表示情報を上記で説明したように、表示位置の情報に基づいて、表示部３０９の論理的に分割された４つのいずれかの領域に表示する。具体的な表示制御内容については、後述する。
【０１１３】
（ステップＳ８０４）関連情報表示制御部３０７は、関連情報蓄積部３０８に蓄積されている関連情報について、同様の処理を繰り返す。すべての関連情報について処理が終了すれば、本フローを終了する。
【０１１４】
（ステップＳ８０５）関連情報表示制御部３０７は、現在時刻が表示期間内に収まらない場合の関連情報について、表示管理テーブルに当該ＩＤが登録されているか否かを確認する。ここで、ＩＤが登録されていると確認されるのは、すでに表示済の関連情報について、表示期間で示される表示終了時刻等に達した場合である。この場合（ステップＳ８０５でＹｅｓ）には、関連情報表示制御部３０７は、ステップＳ８０６、ステップＳ８０７及びステップＳ８０８の処理により、表示されている情報の消去等を行う。反対に、関連情報が表示されていない場合（ステップＳ８０５でＮｏ）は、処理がステップＳ８０４へ移る。
【０１１５】
（ステップＳ８０６）関連情報表示制御部３０７は、表示部３０９に既に表示されている関連情報の表示情報を消去する。該当の表示情報が表示部３０９のどの領域に表示されているかは、表示管理テーブルに基づいて、該当の関連情報ＩＤと表示領域との関係から判別される。
【０１１６】
（ステップＳ８０７）関連情報表示制御部３０７は、表示管理テーブルの「表示中関連情報」に記録されている該当の関連情報ＩＤを削除する。これにより、制御上の情報からも当該関連情報が表示対象外となる。
【０１１７】
（ステップＳ８０８）関連情報表示制御部３０７は、関連情報蓄積部３０８に記録されている当該関連情報を削除する。なお、この削除処理は必ず行わなければならないものではない。
【０１１８】
関連情報表示制御部３０７は、上記に説明するような処理フローにより、配信サーバ１６０から受信した関連情報を、それぞれの表示期間に応じて、表示部３０９に表示することが可能となる。
【０１１９】
図１０は、表示管理テーブル９０１に基づいて、関連情報表示制御部３０７が表示部３０９に表示する関連情報の表示内容を更新する際の処理の例を示すフローチャートである。本フローチャートは、ステップＳ８０３の処理を詳細に示すものである。また、図１１は、表示管理テーブルの更新の説明図である。図１０及び図１１を参照して、関連情報表示制御部３０７が関連情報の表示内容を更新する際の処理について詳細に説明する。
【０１２０】
関連情報表示制御部３０７は、ステップＳ８０２において表示することが決まった関連情報について、その表示位置の情報から、実際に表示部３０９の表示面上で表示する領域を決定する。
【０１２１】
（ステップＳ１００１）関連情報表示制御部３０７は、表示位置の情報に基づいて、図６のように表示領域を論理的に分割した際に、いずれの領域に情報を表示するかを決定する。決定方法の一例として、上述のように、表示位置（ｘ、ｙ）の値から、選択する領域を決定する方法がある。なお、決定の方法は、この方法に限定されない。
【０１２２】
（ステップＳ１００２）ステップＳ１００１において、関連情報を表示する表示領域が決定されると、関連情報表示制御部３０７は、当該領域においてすでに表示済の他の関連情報があるか否か（表示領域に空きが有るか否か）を判定する。具体的には、関連情報表示制御部３０７は、図９で示す表示管理テーブルを用いて判定する。関連情報表示制御部３０７は、表示管理テーブルの、関連情報を表示する領域の「表示中関連情報」に記録されている表示済関連情報のＩＤを取得する。ここにすでに他の別の関連情報のＩＤが記録されている場合には、当該領域において表示済の関連情報が存在することを意味する。「表示中関連情報」の領域に、いずれの関連情報のＩＤも記録されていなければ、当該領域において表示されている関連情報はないことを意味する。これにより、関連情報表示制御部３０７は、表示しようとしている領域について、既に表示済の他の関連情報があるか否か（表示領域に空きが有るか否か）を判定する。すでに表示済の他の関連情報がある（表示領域に空きがない）場合（ステップＳ１００２でＮｏ）、関連情報表示制御部３０７は制御をステップＳ１００３へ移す。反対に、表示中の他の関連情報がない（表示領域に空きがある）場合（ステップＳ１００２でＹｅｓ）、関連情報表示制御部３０７は、制御をステップＳ１００４へ移す。
【０１２３】
ここでは、当該領域に１つの関連情報を表示可能な場合について説明したが、当該領域に２つ以上の関連情報を表示可能としてもよい。その場合は、ステップＳ１００２において、「既に表示済の他の関連情報があるか否かを判定する」代わりに、「既に表示済の他の関連情報が表示可能な最大数であるか否かを判定する」ようにすればよい。
【０１２４】
図１１の（ａ）は、既に表示済の他の関連情報Ａが表示管理テーブルに登録されている場合の表示管理テーブルの例である。関連情報Ａは、表示管理テーブルの「左下領域」の「表示中関連情報」と「一覧表示リスト」とに登録されている状態である。
【０１２５】
（ステップＳ１００３）関連情報表示制御部３０７は、「表示中関連情報」から既に登録されている関連情報のＩＤを削除する。これにより、「表示中関連情報」を空けることができ、新たな関連情報の情報を表示することが可能な状態となる。
【０１２６】
図１１の（ｂ）は、図１１の（ａ）の状態から左下領域に表示されている関連情報Ａを「表示中関連情報」の項目から削除した状態である。「表示中関連情報」から関連情報Ａは削除されるが、「一覧表示リスト」には継続して関連情報Ａは登録されている。
【０１２７】
（ステップＳ１００４）関連情報表示制御部３０７は、新たに表示する関連情報のＩＤを表示管理テーブルの該当する「表示領域」の「表示中関連情報」に登録する。これにより、新たな関連情報の表示情報内容が表示対象となる。また、関連情報表示制御部３０７は、「一覧表示リスト」にもこの新たな関連情報のＩＤを登録する。
【０１２８】
図１１の（ｃ）は、図１１の（ｂ）の状態に新たに関連情報Ｂを登録した状態を示す。「表示中関連情報」及び「一覧表示リスト」の双方に関連情報Ｂが登録されていることがわかる。
【０１２９】
（ステップＳ１００５）関連情報表示制御部３０７は、表示管理テーブルの内容に従って表示部３０９への表示内容を更新する。表示管理テーブルは、ステップＳ１００３や、ステップＳ９０４で説明したように、表示部３０９へ表示すべき状態情報を保持しているため、関連情報表示制御部３０７は、この情報に基づいて表示内容を変更する。
【０１３０】
図１２は、映像表示装置１２０の表示内容と情報表示装置１７０の表示内容との更新の説明図である。具体的には、図１２は、関連情報表示制御部３０７が、図１０で示したフローチャートに従って、映像表示装置１２０の表示内容の更新に連動して表示部３０９の表示内容を更新する場合の表示内容の説明図である。
【０１３１】
図１２の（ａ１）は、映像表示装置１２０に、被写体が何も表示されていない状態を示す。このときの情報表示装置１７０の状態を図１２の（ａ２）に示す。図１２の（ａ２）は、制御開始時において、表示部３０９に何も情報が表示されていない状態を示す。なお、図１２の（ａ２）における縦線（線１２０１）、及び、横線（線１２０２）は、表示領域の分割を示す論理的な領域の境界を示すものである。線１２０１、及び、線１２０２は、情報表示装置１７０の視聴者に視認されるように表示部３０９上に表示されてもよいし、表示されなくてもよい。
【０１３２】
次に、図１２の（ｂ１）のように、映像表示装置１２０に被写体である人物Ａが登場する（表示開始する）。
【０１３３】
図１２の（ｂ２）は、情報表示装置１７０が、人物Ａの関連情報である関連情報５０１Ａを表示部３０９に表示した場合の例である。関連情報５０１Ａは、その表示位置の情報に基づいて、表示部３０９の左下領域に表示される。表示情報の具体的な内容としては、関連情報５０１Ａの「タイトル」と「詳細情報」との内容が表示される。なお、表示の形態はこの内容に限定されない。関連情報に「代表画像」等が含まれる場合は、これを含んでもよい。また、「タイトル」、「詳細情報」及び「代表画像」のうちの１つ以上を含むものであってよい。
【０１３４】
次に、図１２の（ｃ１）のように、さらに、映像表示装置１２０に被写体である人物Ｂが登場（表示開始）される。
【０１３５】
図１２（ｃ２）は、新たな被写体Ｂの関連情報である関連情報５０１Ｂが表示される場合の例である。このとき、図１０のフローチャートで示したように新たな関連情報である関連情報Ｂの情報が表示部３０９の左下領域に表示される。なお、ここで、情報表示装置１７０は、被写体Ｂの関連情報５０１Ｂだけでなく、図１２の（ｃ３）のように、被写体Ａの関連情報５０１Ａをも表示してもよい。そして、図１２の（ｃ２）の表示とするか、（ｃ３）の表示とするかを、利用者の入力によって切り替えるようにしてもよいし、所定の周期で自動的に切り替えるようにしてもよい。表示の切替に関する方法は、これらに限定されない。
【０１３６】
図１２の（ｃ３）は、図１２の（ｃ２）の状態における表示管理テーブルの「一覧表示リスト」の内容を表示した場合の例である。一覧表示リストには、現在表示されている関連情報５０１Ｂと、その前に同領域に表示されていた関連情報５０１Ａとが含まれている。関連情報表示制御部３０７は、このように、同一領域に複数の表示すべき関連情報がある場合において、通常の表示をするときは、最新の関連情報のみを表示する一方、一覧表示をするときは、図１２の（ｃ２）のように一覧表示リストに含まれる複数の関連表示リストを表示するものであってもよい。これにより利用者は、表示されていない他の情報についても、参照することが可能となる。
【０１３７】
次に、図１２の（ｄ１）のように、人物Ａが、映像表示装置１２０の画面上の右上に移動する。
【０１３８】
図１２の（ｄ２）は、映像表示装置１２０上において被写体Ａが、画面左下領域から画面右上領域へ移動した場合の例を示す図である。このとき、関連情報Ａの表示位置が、左下領域から、右上領域へと変わっている。この場合、左下領域に関連情報Ａを表示する場合のＩＤと、右上領域に関連情報Ａを表示する場合のＩＤとで異なるＩＤを使用することで、図１０のフローチャートを利用してこのような表示情報の画面上での移動を行うことができる。
【０１３９】
次に、図１２の（ｅ１）のように、人物Ａが、映像表示装置１２０の画面上から消滅する（表示終了する）。
【０１４０】
図１２（ｅ２）は、人物Ａの関連情報５０１Ａの表示期間が終了した場合の表示部３０９の表示内容を示す例である。この場合は、図８のフローチャートで示した、表示管理テーブルから該当の関連情報のＩＤが削除されることで、関連情報表示制御部３０７は、その内容に従って表示部３０９の内容を更新する。
【０１４１】
なお、関連情報に「領域パターン」を含めてもよい。「領域パターン」とは、映像表示装置１２０が表示する映像（番組）又は映像（番組）のシーンに対応して定められるものであって、映像表示面を論理的に分割するパターンを示すものである。領域パターンは、具体的には、分割数（４分割、２分割など）、分割パターン（縦に２分割及び横に２分割、横に４分割、など）などを示す情報である。さらに、領域パターンは、１つ映像（番組）の途中で変更されてもよい。例えば、被写体の動きが激しいシーンでは、表示面領域の数を減らすようにしてもよい。関連情報に「領域パターン」を含む場合、「表示位置」は、映像表示面をその領域パターンによって論理的に分割した場合のオブジェクトの位置を示す情報となる。
【０１４２】
情報表示装置１７０は、「領域パターン」及び「表示位置」を含む関連情報を受信したら、表示部３０９を「領域パターン」に従って論理的に分割してできる領域のうち、「表示位置」が示す領域に、関連情報を表示する。例えば、被写体の動きが激しいシーンでは、従来技術によれば関連情報も被写体の動きに連動して激しく移動するが、本開示によれば関連情報の移動が小さくなる。これにより、視聴者が関連情報を得やすくなる。
【０１４３】
なお、本開示の情報表示装置に必須の構成要素は以下である。図３Ｂは、実施の形態１における情報表示装置の機能構成の他の例（情報表示装置１７０Ａ）を示す図である。図３Ｂに示されるように、情報表示装置１７０Ａは、関連情報取得部３０６、表示制御部３０７Ａ、及び、表示部３０９を有する。
【０１４４】
関連情報取得部３０６は、情報表示装置の外部の映像表示装置の映像表示面に表示されているオブジェクトの映像表示面上の第一位置を示す位置情報と、オブジェクトの属性情報を示すオブジェクト情報とを含む関連情報を取得する。
【０１４５】
表示部３０９は、関連情報取得部３０６が取得した関連情報に含まれるオブジェクト情報を表示する。
【０１４６】
表示制御部３０７Ａは、映像表示面におけるオブジェクトの表示に連動して、関連情報に含まれる位置情報が示す第一位置に対応する表示部３０９上の第二位置にオブジェクト情報を表示するように、表示部３０９を制御する。
【０１４７】
これにより、情報表示装置は、映像の被写体に関する情報の容易な取得を可能とする。
【０１４８】
［１−３．効果等］
以上のように、本実施の形態における情報表示装置によれば、映像の視聴者は、映像表示装置の映像表示面に表示されているオブジェクトに関連する関連情報を、情報表示装置から得ることができる。その際、表示される関連情報の表示部（表示画面）上の位置は、オブジェクトの映像表示面上の位置に対応した位置となる。そのため、視聴者は、複数の位置に情報が表示されうる表示部において、オブジェクトの映像表示面上の位置に対応した箇所を見ることで、容易に当該オブジェクトの関連情報を見つけることができる。よって、映像の被写体に関する情報の容易な取得が可能となる。
【０１４９】
また、情報表示装置の表示部において、映像表示装置に表示されたオブジェクトの関連情報が表示される箇所の候補が、所定数の箇所に絞り込まれる。視聴者は、その複数の箇所のいずれかを見ることで、関連情報をさらに容易に発見することができる。さらに、表示部上の箇所であって視聴者が閲覧しにくい箇所（例えば、表示部内の端の位置）を、その候補から除外しておくことにより、関連情報が表示されうる箇所を、視聴者が発見及び閲覧しやすい箇所に絞ることができる。よって、映像の被写体に関する情報のより容易な取得が可能となる。
【０１５０】
また、情報表示装置の表示部において、映像表示装置に表示されたオブジェクトの関連情報が表示される箇所の候補が、所定数の箇所に絞り込まれる。しかも、映像表示装置の表示面を構成する複数の領域（表示面領域）ごとに、その領域に表示されるオブジェクトの関連情報が表示される情報表示装置上の領域が定められている。視聴者は、映像表示面上でオブジェクトが属している表示面領域を把握し、その領域に対応する表示部上の領域を見ることで、関連情報をさらに容易に発見することができる。よって、映像の被写体に関する情報のより容易な取得が可能となる。
【０１５１】
また、情報表示装置は、映像表示面上の表示の変化に追随して、映像表示面に表示されているオブジェクトの関連情報を表示する。よって、映像の被写体に関する情報のより容易な取得が可能となる。
【０１５２】
また、映像表示装置が表示する映像のシーンに対応して、映像表示装置の表示面領域のパターンが変更され、それにともなって、視聴者が関連情報を得やすいように、情報表示装置の表示部の領域パターンも変更される。例えば、映像の動きが激しいシーンでは、表示面領域の数を減らすことで、視聴者が関連情報を得やすくなる。よって、映像の被写体に関する情報のより容易な取得が可能となる。
【０１５３】
また、情報表示装置の表示面積が限られている場合に、複数の関連情報のうち、より新しい情報を表示することができる。よって、映像のより新しい被写体に関する情報の容易な取得が可能となる。
【０１５４】
また、映像表示装置上のオブジェクトの相対位置と、情報表示装置の表示部上の関連情報の相対位置とが等しくなる。視聴者は、映像表示装置の表示面上のオブジェクトの相対位置と同じ、情報表示装置の表示部上の位置を参照することで、オブジェクトの関連情報を見つけることができる。よって、映像の被写体に関する情報の容易な取得が可能となる。
【０１５５】
また、映像表示装置上にオブジェクトが表示されている時に、リアルタイムにそのオブジェクトに関連する情報を表示することができる。
【０１５６】
また、視聴者は、オブジェクトの関連情報として、タイトル、詳細情報、及び、代表画像のうちの少なくとも１つを得ることができる。
【０１５７】
また、視聴者は、映像表示装置の表示面を４分割した表示面領域におけるオブジェクトの関連情報を、情報表示装置から取得することができる。
【０１５８】
すなわち、本実施の形態で説明した情報表示装置１７０は、配信サーバ１６０から受信する関連情報に含まれる「表示位置」の情報に基づいて、表示する情報を表示部３０９の好適な位置に表示する。この際、関連情報表示制御部３０７は、関連情報に含まれる「表示位置」の情報を、表示部３０９の所定に分割された表示領域のいずれかに対応させる。これにより、関連情報表示制御部３０７は、表示する関連情報を表示部３０９に好適に表示することが可能となる。その結果、映像表示装置１２０を視聴しながら、情報表示装置１７０で、映像表示装置１２０が映し出す映像に表示される被写体の情報を視聴する際に、より素早く対象となる情報を表示部３０９の表示面から探し出すことができる。
【０１５９】
（実施の形態２）
本実施の形態では、表示位置の移動を示すことができる関連情報の構成の例について説明する。
【０１６０】
図１３を用いて、本実施の形態について説明する。本実施の形態の説明では、実施の形態１と相違する点を中心に説明する。その他の点については、実施の形態１と共通のため説明を省略する。
【０１６１】
［２−１．構成］
本実施の形態と、実施の形態１とで異なるのは関連情報の構成である。本実施の形態で使用する関連情報の一例を図１３に示す。
【０１６２】
図１３は、本実施の形態における関連情報の例（関連情報１３０１）を示す図である。図１３に示される関連情報１３０１は、実施の形態１における関連情報５０１の構成とは、表示位置と表示期間との情報について異なる。本実施の形態における関連情報１３０１では、表示位置１及び表示期間１の組み合わせと、表示位置２及び表示期間２の組み合わせとを有する。
【０１６３】
［２−２．動作］
関連情報表示制御部３０７は、図１２の（ｂ２）（又は（ｃ２））から図１２の（ｄ２）へ移る過程で示されたように、人物Ａの移動に従い、関連情報５０１Ａを表示部３０９上で移動して表示する場合に、図１３に示す関連情報１３０１を用いる。つまり、図１２の（ｂ２）に対応する表示内容について、関連情報１３０１の表示位置１及び表示期間１にその情報（表示位置と表示期間）が設定される。また、図１２（ｄ２）に対応する表示内容について、関連情報１３０１の表示位置２及び表示期間２にその情報が示される。これにより、関連情報表示制御部３０７は、一つの関連情報で、表示の移動（表示領域が変化すること）が把握できる。
【０１６４】
なお、上記の説明では図１２の（ｂ２）（又は（ｃ２））から図１２の（ｄ２）に示す１回の移動のみについて説明したが、本実施の形態はこの内容に限定されない。複数回の移動について関連情報に含まれるものであってもよい。この場合は、表示位置１及び表示期間１の組み合わせと、表示位置２及び表示期間２の組み合わせと、表示位置ｎ及び表示期間ｎの組み合わせと、といったように組み合わせの数を増やせばよい。
【０１６５】
［２−３．効果］
以上のように、関連情報に表示対象となる情報の表示位置が変化（移動）する際の情報等を含めたものであってもよい。この場合は、関連情報表示制御部３０７は、この内容にしたがって、それぞれの表示期間（表示時刻）に応じて、表示する情報の表示位置を、あらかじめ定めた表示部３０９上の表示領域に好適に割り当てることで、表示位置が変化する情報についても利用者に見易い情報表示が可能となる。
【０１６６】
（実施の形態３）
本実施の形態では、関連情報の種別に応じて表示位置を調整する例について説明する。
【０１６７】
図１４を用いて、本実施の形態について説明する。本実施の形態の説明では、実施の形態１と相違する点を中心に説明する。その他の点については、実施の形態１と共通のため説明を省略する。
【０１６８】
［３−１．構成］
本実施の形態と、実施の形態１とで異なるのは表示部３０９の表示面をあらかじめ分割しておく際の分割方法である。つまり、実施の形態１とは、関連情報表示制御部３０７における処理が異なる。
【０１６９】
［３−２．動作］
本実施の形態では、表示部３０９を図１４に示すように分割する。具体的には、表示部３０９を横方向に４分割する。それぞれの領域を左から、第１領域１４０１、第２領域１４０２、第３領域１４０３、及び、第４領域１４０４とする。また、第１〜第４領域（１４０１〜１４０４）については、縦方向に上から、タイトル領域１４０５、詳細領域１４０６、及び、画像領域１４０７とする。なお、縦方向に分割された領域に対して、タイトル、詳細、及び、画像という名称を付したが、その領域に表示される情報の種類（種別）は、当該種別に限定されない。
【０１７０】
関連情報表示制御部３０７は、関連情報に含まれる「表示位置」の情報に基づいて、上記の第１〜第４領域のいずれに該当するかを決定する。この決定は、「表示位置」情報のＸ軸方向の座標に基づいて決定すればよい。
【０１７１】
また、関連情報表示制御部３０７は、表示する関連情報について第１〜第４領域のいずれの領域に表示するかを決定すると、当該決定された領域において、関連情報の「表示情報」に含まれる、「タイトル」、「詳細情報」、「画像情報」（図５）に基づいて、タイトル領域１４０５、詳細領域１４０６、及び、画像領域１４０７にそれぞれの情報を表示する。
【０１７２】
別の言い方をすれば、関連情報表示制御部３０７は、関連情報に含まれる「表示位置」の情報に基づいて、関連情報の表示位置を決定した後、関連情報の種別に応じて、その表示位置を調整する。この調整は、具体的には、表示位置を決定した後に、関連情報の種別により定められる相対位置を、当該表示位置に加算する処理により実現される。
【０１７３】
これにより、情報表示装置１７０の利用者は、表示される情報の種類が縦方向に統一され、横方向にそれぞれの情報が並べられることで、見易い表示画面を得ることができる。また、同一の種類の情報が横方向に並んでいるので、「タイトル」によって対象となる情報を主に探す利用者、「画像」によって対象となる情報を主に探す利用者等のそれぞれにとって、求める情報を探索しやすい。
【０１７４】
［３−３．効果］
以上のように、本実施の形態における情報表示装置によれば、情報表示装置は、オブジェクトのタイトル又は詳細情報のような情報の種別に対応して、表示部に表示される関連情報の位置を変更することにより、情報の種別に応じて関連情報の表示箇所を調整することができる。例えば、関連情報の表示の上部にはタイトルが表示されるようにすることができる。視聴者は、オブジェクトの関連情報を探す際に、情報の種別に応じて定まる表示部上の場所を見ることで、さらに容易に目的にオブジェクトに関する情報を取得することができる。例えば、視聴者が、オブジェクトのタイトルから関連情報を探したい時には、表示部の上部を見ることで容易に発見することができる。よって、映像の被写体に関する情報のより容易な取得が可能となる。
【０１７５】
すなわち、関連情報表示制御部３０７は、表示部３０９の表示領域を、表示位置だけでなく、表示する情報の種類等によっても分割することで、より情報の表示が可能となる。この場合にも、横方向の情報の表示位置は、映像表示装置１２０等で示される映像内の被写体の位置によって、好適な位置が決定されるため、映像表示装置１２０の映像と、情報表示装置１７０が表示する情報の表示位置とは関連性のあるものとなる。その結果、より利用者に好適な情報の表示が可能となる。
【０１７６】
（その他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【０１７７】
なお、上記の実施の形態１〜３においては、情報表示装置１７０で本出願の発明を実現する場合について記載したが、本出願の発明はこれに限定されるものではない。例えば、情報表示装置１７０のハードウェアを用い、演算装置で実行されるソフトウェアプログラム等として実現することも可能である。
【０１７８】
また、上記の実施の形態１〜３において、情報表示装置１７０だけでなく、情報表示装置１７０と映像表示装置１２０とを含めた情報表示システム１００として実現することも可能である。
【０１７９】
また、実施の形態１〜３において、表示部３０９の表示領域を４分割して情報を表示する場合を説明したが、本開示は、これに限定されるものではない。８分割等の４分割以上の領域に分割するものであってもよいし、２又は、３分割に分割するものであってもよい。分割数は、情報表示装置１７０が備える表示部３０９の大きさに基づいて決定してもよい。表示部３０９の表示面が大きい場合には、８分割、１６分割等をしても、それぞれの情報が適度な大きさで表示されると考えられる。しかし、表示部３０９の表示面が比較的小さい場合は、８分割、１６分割等をするとそれぞれの表示領域に表示される情報が小さすぎて、実際の利用ではほとんど見えないという課題も起こりえる。そのため、表示部３０９の領域数は、実質的に利用可能な程度に分割するものであってもよい。
【０１８０】
また、実施の形態１〜３において、同じ表示時刻、同じ表示領域に複数の情報を表示する場合、表示すべき情報のなかから一つの情報を選んで表示するものであってもよい。また、当該表示領域に隣接する隣接領域に表示する情報が無い場合は、その隣接領域に、本来当該領域に表示すべき情報を表示するものであってもよい。隣接領域も使用して情報を表示することで、複数の表示する情報がある場合でも、より多くの情報が表示できるとともに、表示位置は、当該表示領域を中心に情報を表示するため、表示部３０９の全体表示面における相対的な表示位置は維持されることから、利用者は求める情報をより簡単に探すことができる。
【０１８１】
また、実施の形態１〜３において、映像表示装置で表示されている映像番組の特定に、マイクで映像番組の音声を取得し、そこから映像番組を特定する方法について説明した。本出願の発明はこれに限定されるものではない。上記以外にも、映像表示装置から通信等で、直接、表示中の映像番組を特定する情報を取得するものであってもよい。音声で番組を特定することで、本出願の情報表示装置が、すでに普及している通信装置を備えていないＴＶ（映像表示装置）にも利用することが可能となるメリットがる。また、映像表示装置から通信等で直接情報を取得することで、より信頼性の高い番組特定を行うことが可能となる。
【０１８２】
また、実施の形態１〜３において、音声固有の識別情報を、配信サーバ１６０へ送信し、この送信に対する返信として当該音声に対する映像番組の情報（番組特定情報）を取得している場合を説明したが（図１）、本出願の発明はこれに限定されるものではない。上記以外にも、図１５で示すように、音声固有の識別情報を基に番組を特定する他のサーバ（番組特定サーバ１５１０）へ音声固有の識別情報を送信し、当該音声に対する映像番組の情報（番組特定情報）を取得するものであってもよい。配信サーバ１６０は、映像番組に関する情報のみを配信するだけでよくことから、サーバの負荷分散のメリットがる。
【０１８３】
以上のように、本開示における技術の例示として、実施の形態を説明した。そのために、添付図面および詳細な説明を提供した。
【０１８４】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１８５】
また、上述の実施の形態は、本開示における技術を例示するためのものであるから、請求の範囲またはその均等の範囲において種々の変更、置き換え、付加、省略などを行うことができる。
【産業上の利用可能性】
【０１８６】
本開示の情報表示装置は、ＴＶ等の映像表示装置とともに視聴者が持つ端末として利用できる。より、具体的には、視聴者がＴＶ映像視聴時に携帯するスマートフォンのようなモバイル端末等で実現することが可能である。
【符号の説明】
【０１８７】
１００、１５００  情報表示システム
１１０  放送局
１２０  映像表示装置（ＴＶ）
１３０  データベース
１４０  専門業者
１５０  一般ユーザ
１６０  配信サーバ
１７０、１７０Ａ  情報表示装置
１８０  利用者
２００  ＣＰＵ
２０１  ＲＯＭ
２０２  ＲＡＭ
２０３  無線ＬＡＮアンテナ
２０４  ネットワークコントローラ
２０５  タッチパネルコントローラ
２０６  ユーザ入力検出センサ
２０７  ディスプレイコントローラ
２０８  ディスプレイ
２０９  音声出力コントローラ
２１０  スピーカ
２１１  音声入力コントローラ
２１２  マイク
３００  音声入力部
３０１  ユーザ入力検出部
３０２  タイマー部
３０３  入力制御部
３０４  番組特定部
３０５  通信部
３０６  関連情報取得部
３０７  関連情報表示制御部
３０７Ａ  表示制御部
３０８  関連情報蓄積部
３０９  表示部
１５１０  番組特定サーバ
１５２０  番組特定データベース
【手続補正２】
【補正対象書類名】特許請求の範囲
【補正対象項目名】全文
【補正方法】変更
【補正の内容】
【特許請求の範囲】
【請求項１】
情報表示装置であって、
前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得部と、
前記関連情報取得部が取得した前記関連情報に含まれる前記オブジェクト情報を表示する表示部と、
前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御部とを備える
情報表示装置。
【請求項２】
前記表示制御部は、
前記映像表示面上の位置ごとに対応させて定められた前記表示部上の位置のうち、前記第一位置に対応する位置である前記第二位置に前記オブジェクト情報を表示するように、前記表示部を制御する
請求項１に記載の情報表示装置。
【請求項３】
前記関連情報取得部は、
前記映像表示面を構成する複数の表示面領域のうち、前記オブジェクトが表示されている表示面領域を示す前記第一位置を取得し、
前記表示制御部は、
前記複数の表示面領域のそれぞれに位置が対応するように定められた前記表示部の複数の領域のうち、前記第一位置に対応する領域の内部の前記第二位置に前記オブジェクト情報を表示するように、前記表示部を制御する
請求項１に記載の情報表示装置。
【請求項４】
前記表示制御部は、
前記第二位置を基準として、前記関連情報取得部が取得した前記関連情報に含まれる前記オブジェクト情報の種別に対応して定められた相対位置を加算した位置を新たな前記第二位置とし、新たな前記第二位置に前記オブジェクト情報を表示するように、前記表示部を制御する
請求項１〜３のいずれか１項に記載の情報表示装置。
【請求項５】
前記関連情報取得部は、
前記映像表示面における前記オブジェクトの表示の開始又は移動があるとき、前記開始後又は前記移動後の前記第一位置を含む前記関連情報を取得し、
前記表示制御部は、
前記オブジェクトの表示の開始又は移動に連動して、前記開始後又は前記移動後の前記第一位置に対応する前記表示部上の第二位置に、前記オブジェクト情報の表示を開始又は移動させるように、前記表示部を制御する
請求項１〜４のいずれか１項に記載の情報表示装置。
【請求項６】
前記関連情報取得部は、
前記映像表示装置が表示する映像のシーンに対応して定められる領域パターンと、前記領域パターンに従って定められる前記複数の表示面領域のうち、前記オブジェクトが表示されている表示面領域を示す前記第一位置とを取得し、
前記表示制御部は、
前記領域パターンに従って前記表示部に設定される複数の領域のうち、前記第一位置に対応する領域の内部の前記第二位置に前記オブジェクト情報を表示するように、前記表示部を制御する
請求項３に記載の情報表示装置。
【請求項７】
前記表示制御部は、
同一の前記第二位置に複数の前記オブジェクト情報を表示するように前記表示部を制御する際には、複数の前記オブジェクト情報のうち、作成されてからの時間がより短いほうの前記オブジェクト情報を表示するように、前記表示部を制御する
請求項１〜６のいずれか１項に記載の情報表示装置。
【請求項８】
前記表示制御部は、
前記映像表示面における前記第一位置の相対位置と、前記表示部における前記第二位置の相対位置とが等しくなるように前記第二位置を決定し、前記表示部上の第二位置に前記オブジェクト情報を表示するように、前記表示部を制御する
請求項１〜７のいずれか１項に記載の情報表示装置。
【請求項９】
前記関連情報取得部は、
さらに、前記オブジェクトが前記映像表示面に表示される期間を示す表示期間を取得し、
前記表示制御部は、
現在時刻が、前記関連情報取得部が取得した前記表示期間内であるか否かを判定し、現在時刻が前記表示期間内であると判定した場合に、前記表示部上の第二位置に前記オブジェクト情報を表示するように、前記表示部を制御する
請求項１〜８のいずれか１項に記載の情報表示装置。
【請求項１０】
前記関連情報取得部は、
前記オブジェクト情報として、前記オブジェクトのタイトル、詳細情報、及び、代表画像のうちの少なくとも１つを含む前記関連情報を取得する
請求項１〜９のいずれか１項に記載の情報表示装置。
【請求項１１】
前記関連情報取得部における前記表示面領域の数は４であり、
前記表示制御部における前記表示部に定められる前記複数の領域の数は４である
請求項３に記載の情報表示装置。
【請求項１２】
表示部を備える情報表示装置における情報表示方法であって、
前記情報表示装置の外部の映像表示装置の映像表示面に表示されているオブジェクトの前記映像表示面上の第一位置を示す位置情報と、前記オブジェクトの属性情報を示すオブジェクト情報とを含む関連情報を取得する関連情報取得ステップと、
前記関連情報取得ステップで取得した前記関連情報に含まれる前記オブジェクト情報を前記表示部に表示する表示ステップと、
前記映像表示面における前記オブジェクトの表示に連動して、前記関連情報に含まれる前記位置情報が示す前記第一位置に対応する前記表示部上の第二位置に前記オブジェクト情報を表示するように、前記表示部を制御する表示制御ステップとを含む
情報表示方法。
【請求項１３】
請求項１２に記載の情報表示方法をコンピュータに実行させるための、コンピュータ読み取り可能な記録媒体。
【請求項１４】
映像を表示する映像表示面を有する映像表示装置と、
前記関連情報を前記情報表示装置に配信する配信サーバと、
請求項１〜１１のいずれか１項に記載の情報表示装置とを備える
情報表示システム。
【手続補正３】
【補正対象書類名】図面
【補正対象項目名】全図
【補正方法】変更
【補正の内容】
【図１】
2013088604.tif 000019
【図２】
2013088604.tif 000020
【図３Ａ】
2013088604.tif 000021
【図３Ｂ】
2013088604.tif 000022
【図４】
2013088604.tif 000023
【図５】
2013088604.tif 000024
【図６】
2013088604.tif 000025
【図７】
2013088604.tif 000026
【図８】
2013088604.tif 000027
【図９】
2013088604.tif 000028
【図１０】
2013088604.tif 000029
【図１１】
2013088604.tif 000030
【図１２】
2013088604.tif 000031
【図１３】
2013088604.tif 000032
【図１４】
2013088604.tif 000033
【図１５】
2013088604.tif 000034
【国際調査報告】
2013088604.tif 000035
2013088604.tif 000036
2013088604.tif 000037
2013088604.tif 000038